(57)【要約】【課題】使い勝手の向上を図る。【解決手段】第１の筐体１と第２の筐体２とによって構成される本体部３に対してカメラ装置１７を回転自在に支持するシャフト２９、３７と、カメラ装置の回転に伴って回転される回転部４４と、シャフトの軸方向において回転部に隣接して配置されると共にカメラ装置の回転時に回転不能な状態にある固定部４１と、回転部又は固定部の少なくとも一方を回転部と固定部とが互いに接する方向へ付勢する付勢部材４５とを設け、回転部又は固定部の一方に係合突部４４ｃを設け回転部又は固定部の他方に係合突部と係合可能な係合凹部４３ａ、４３ｂ、４３ｃを形成し、本体部に対してカメラ装置が所定の回転位置まで回転されたときに係合突部と係合凹部が係合するようにした。【選択図】        図５
2004221775.tif 000002
【特許請求の範囲】
【請求項１】
本体部を構成する第１の筐体と第２の筐体とがヒンジ部を介して回動可能に連結されて折畳自在にされると共に撮像レンズを有し本体部に対して回転可能なカメラ装置がヒンジ部に隣接して設けられた情報端末機器であって、
上記本体部に対してカメラ装置を回転自在に支持するシャフトと、
カメラ装置の回転に伴って回転される回転部と、
シャフトの軸方向において回転部に隣接して配置されると共にカメラ装置の回転時に回転不能な状態にある固定部と、
回転部又は固定部の少なくとも一方を回転部と固定部とが互いに接する方向へ付勢する付勢部材とを備え、
回転部又は固定部の一方に係合突部を設け回転部又は固定部の他方に係合突部と係合可能な係合凹部を形成し、
本体部に対してカメラ装置が所定の回転位置まで回転されたときに係合突部と係合凹部が係合しカメラ装置を当該所定の回転位置に保持するようにした
ことを特徴とする情報端末機器。
【請求項２】
上記付勢部材は皿バネであり、該皿バネを上記固定部として用いた
ことを特徴とする請求項１に記載の情報端末機器。
【請求項３】
上記付勢部材は皿バネであり、該皿バネを上記回転部として用いた
ことを特徴とする請求項１に記載の情報端末機器。
【請求項４】
上記カメラ装置の所定の回転位置として、撮像レンズが本体部に遮蔽される第１の回転位置と撮像レンズが撮影者側を向く第２の回転位置と撮像レンズが撮影者の反対側を向く第３の回転位置とを設けた
ことを特徴とする請求項１に記載の情報端末機器。
【請求項５】
上記カメラ装置の回転を規制する回転規制手段を設けた
ことを特徴とする請求項１に記載の情報端末機器。
【請求項６】
上記第１の筐体と第２の筐体とが所定の角度開いた開放状態において両者の回動を規制する回動規制手段を設けた
ことを特徴とする請求項１に記載の情報端末機器。
【請求項７】
上記第１の筐体と第２の筐体とを両者が所定の角度開いた開放状態及び両者が折り畳まれた閉塞状態の各位置にそれぞれ保持する保持手段を設けた
ことを特徴とする請求項１に記載の情報端末機器。
【請求項８】
上記カメラ装置は撮像レンズを保持する保持ケースを有し、
該保持ケースに略円筒状に形成されシャフトが挿入される筒部を設け、
上記付勢部材としてコイルバネを用い、
該コイルバネを保持ケースの筒部に配置した
ことを特徴とする請求項１に記載の情報端末機器。
【請求項９】
上記カメラ装置は撮像レンズを保持する保持ケースを有し、
該保持ケースに被取付部を設け、
該被取付部をシャフトに、その軸方向にスライド可能とし該軸方向に略直交する方向において着脱可能とした
ことを特徴とする請求項１に記載の情報端末機器。
【請求項１０】
上記カメラ装置は撮像レンズを保持する保持ケースを有し、
該保持ケースにシャフトが挿入される挿入筒部を設け、
該挿入筒部に切欠を形成して周方向に離隔して位置する一対の被規制縁を設け、
カメラ装置が回転されたときにその回転方向に応じて何れか一方の被規制縁に係合可能であると共にシャフトの外周面から突出され保持ケースの挿入筒部の外面側には突出されない規制突部を設けた
ことを特徴とする請求項１に記載の情報端末機器。
【発明の詳細な説明】
【０００１】
【発明が属する技術分野】
本発明は、情報端末機器に関する。詳しくは、本体部に対して回転されるカメラ装置を所定の回転位置において保持可能とすることにより、使い勝手の向上を図る技術分野に関する。
【０００２】
【従来の技術】
携帯電話機やＰＤＡ（Ｐｅｒｓｏｎａｌ  Ｄｉｇｉｔａｌ  Ａｓｓｉｓｔａｎｔ）等の情報端末機器には、例えば、本体部を構成する第１の筐体と第２の筐体とがヒンジ部を介して回動可能に連結されて折畳自在にされ、このヒンジ部に隣接して撮像レンズを有するカメラ装置が回転可能に設けられているものがある（例えば、特許文献１及び特許文献２参照）。一方の筐体には表示部が設けられており、撮影者は撮像レンズを介して表示部に表示される画像を確認しながら撮影することができる。
【０００３】
このような情報端末機器にあっては、カメラ装置を用いて所望のときに被写体を撮影することができ、また、カメラ装置が回転可能であるため、撮影者の視野範囲にある物体や人物等の他、撮影者自信をも撮影することができ利便性の向上が図られている。
【０００４】
【特許文献１】
特開２００１―１８６３９６号公報
【特許文献１】
特開２００２―９４６２９号公報
【０００５】
【発明が解決しようとする課題】
ところで、上記した回転可能なカメラ装置を備えた情報端末機器において、カメラ装置を用いた撮影時には、カメラ装置を本体部に対して所定の回転位置まで回転させる必要がある。
【０００６】
ところが、撮影者自身がカメラ装置の回転位置を表示部に表示される画像を確認しながら決定しなければならず、面倒であり使い勝手が悪いという問題がある。
【０００７】
また、カメラ装置を所定の回転位置まで回転したときに、外部からの振動等がカメラ装置に伝達されてしまうと、カメラ装置の回転位置が変動し像ぶれや焦点ぼけ等の不具合を生じるおそれがある。
【０００８】
そこで、本発明情報端末機器は、上記した問題点を克服し、使い勝手の向上を図ることを課題とする。
【０００９】
【課題を解決するための手段】
本発明情報端末機器は、上記した課題を解決するために、本体部を構成する第１の筐体と第２の筐体とがヒンジ部を介して回動可能に連結され該ヒンジ部にカメラ装置が設けられた情報端末機器において、本体部に対してカメラ装置を回転自在に支持するシャフトと、カメラ装置の回転に伴って回転される回転部と、シャフトの軸方向において回転部に隣接して配置されると共にカメラ装置の回転時に回転不能な状態にある固定部と、回転部又は固定部の少なくとも一方を回転部と固定部とが互いに接する方向へ付勢する付勢部材とを設け、回転部又は固定部の一方に係合突部を設け回転部又は固定部の他方に係合突部と係合可能な係合凹部を形成し、本体部に対してカメラ装置が所定の回転位置まで回転されたときに係合突部と係合凹部が係合するようにしたものである。
【００１０】
従って、本発明情報端末機器にあっては、係合突部と係合凹部との係合によってカメラ装置が所定の回転位置に保持される。
【００１１】
【発明の実施の形態】
以下に、本発明情報端末機器の実施の形態を添付図面を参照して説明する。尚、以下に示す実施の形態は、本発明を携帯電話機に適用したものである。
【００１２】
先ず、第１の実施の形態について説明する。
【００１３】
携帯電話機１００は第１の筐体１と第２の筐体２とを備え、該第１の筐体１と第２の筐体２とによって本体部３が構成される。第１の筐体１と第２の筐体２とはヒンジ部４を介して回動自在に連結されて折畳自在にされ、第１の筐体１と第２の筐体２とは、両者が所定の角度開いた開放状態（図１参照）と両者が折り畳まれた閉塞状態（図２参照）との間で回動可能とされている。
【００１４】
第１の筐体１と第２の筐体２は、閉塞状態における両者間の角度θを０°とすると、例えば、角度θが１６０°まで回動可能であり（図３参照）、この１６０°の角度を為す状態が開放状態とされる。
【００１５】
尚、以下の説明において方向を示すときは、第１の筐体１と第２の筐体２を開いた開放状態（図１参照）において、第１の筐体１の後述する操作キーと第２の筐体２の後述する表示部を正面から見たときの前後上下左右の方向で示す。
【００１６】
第１の筐体１は、図１及び図２に示すように、第１のケース５に各部材及び各部品が収納又は配置されて成り、第１のケース５は前後で結合されたフロントケース５ａとリアケース５ｂとから成る。第１のケース５は扁平な形状に形成されたケース本体部６と該ケース本体部６の上端部からそれぞれ前方へ突出された内側ヒンジ筒部７、７とから成る。内側ヒンジ筒部７、７は軸方向が左右方向となる略円筒状に形成され、それぞれケース本体部６の左端寄りの位置と右端寄りの位置とに設けられている。
【００１７】
第１のケース５の内部には回路基板８が配置され（図４参照）、該回路基板８はその主面が前後方向を向くように配置されている。
【００１８】
第１の筐体１の前面には操作キー１ａ、１ａ、・・・が配置され、第１の筐体１の前面の下端部にはマイクロフォン９が設けられている（図１参照）。第１の筐体１の前面の上端寄りの位置には回転式操作キー１０が配置されている。回転式操作キー１０を回転操作することにより所定のメニューを選択することができ、押圧操作することにより選択したメニューを実行することができる。回転式操作キー１０の操作によって、例えば、各種の編集作業、各種の情報の入力、後述するカメラ装置による撮影、カメラ装置によって撮影した画像の表示、画像の削除、画像の送信等の種々の操作を行うことができる。
【００１９】
第２の筐体２は、図１及び図２に示すように、第２のケース１１に各部材及び各部品が収納又は配置されて成り、第２のケース１１は前後で結合されたフロントケース１１ａとリアケース１１ｂとから成る。第２のケース１１は扁平な形状に形成されたケース本体部１２と該ケース本体部１２の下端部からそれぞれ略下方へ突出された外側ヒンジ筒部１３、１３とから成る。外側ヒンジ筒部１３、１３は軸方向が左右方向となり外面がそれぞれ閉塞された略円筒状に形成され、それぞれケース本体部６の左端部と右端部とに設けられている。従って、外側ヒンジ筒部１３、１３は、それぞれ第１の筐体１の内側ヒンジ筒部７、７の外側に位置されている。
【００２０】
第２の筐体２の前面には表示部（液晶表示パネル）１４が設けられている。表示部１４には、電波の受信状況、電池残量、通話相手の電話番号、電話帳として登録されている内容（相手先電話番号や氏名等）、発信履歴、着信履歴、カメラ装置による撮影時の画像、カメラ装置によって撮影した画像、その他の各種登録内容等の各種の情報が表示される。
【００２１】
第２の筐体２の前面の上端部にはスピーカー１５が設けられている。
【００２２】
ヒンジ部４は第１の筐体１の内側ヒンジ筒部７、７内と第２の筐体２の外側ヒンジ筒部１３、１３内とにヒンジ機構１６が配置されて成り、内側ヒンジ筒部７、７間にはカメラ装置１７が回転可能に支持されている。
【００２３】
カメラ装置１７は略円筒状に形成された保護カバー１８と該保護カバー１８によって一部を除いた部分が覆われた後述するカメラ本体を備えている。カメラ装置１７は第１の筐体１と第２の筐体２の回動方向と同じ方向に回転可能とされている。
【００２４】
保護カバー１８の周面には窓が形成され、この周面の窓が形成された部分を除いた左右方向における両端部以外の部分にローレット加工が施され、このローレット加工が施された部分が回転操作部１８ａとして形成されている。
【００２５】
以下に、第１の筐体１及び第２の筐体２の内部構造について説明する（図４乃至図９参照）。
【００２６】
第１の筐体１の内部には支持プレート１９が配置されている（図４乃至図６参照）。支持プレート１９は、図５に示すように、左右方向に長いベース部２０と該ベース部２０の左右両側縁からそれぞれ直角に折り曲げられた支持片部２１、２２とベース部２０の左右両側縁から左方又は右方へ突出された被取付部２３、２３とから成る。支持片部２１、２２の先端部には、それぞれシャフト挿通孔２１ａ、２２ａが形成されている。シャフト挿通孔２１ａ、２２ａには、１８０°反対側の位置にそれぞれ平面形状に形成されたカット面２１ｂ、２１ｂ、２２ｂ、２２ｂが形成されている。左側に位置する支持片部２１の中間部には、その左側面にクリック凹部２１ｃが形成されている。
【００２７】
ベース部２０には被取付孔２０ａ、２０ａが形成され、被取付部２３、２３にはそれぞれ被取付孔２３ａ、２３ａが形成されている。
【００２８】
支持プレート１９は被取付孔２０ａ、２０ａ、２３ａ、２３ａをそれぞれ挿通されたネジ部材によって第１のケース５のリアケース５ｂに取り付けられて第１のケース５内に配置される。支持プレート１９が第１のケース５内に配置された状態においては、支持片部２１、２２がそれぞれ内側ヒンジ筒部７、７内に配置される。
【００２９】
第２の筐体２の内部には支持フレーム２４が配置されている（図５及び図６参照）。支持フレーム２４は横長の基部２５と該基部２５の上側に設けられた枠部２６と基部２５から下方へ突出された支持筒部２７、２８とから成る。基部２５にはネジ挿通孔２５ａ、２５ａが形成され、枠部２６の上端部にも図示しない一対のネジ挿通孔が形成されている。
【００３０】
支持筒部２７、２８は基部２５の左右両端部からそれぞれ突出されている。支持筒部２７は左側面２７ａが閉塞された略円筒状に形成され、該左側面２７ａに貫通孔２７ｂが形成されている（図７及び図８参照）。支持筒部２８は略円筒状に形成されている。
【００３１】
支持筒部２７の右側縁部には、１８０°反対側の位置に右方に開口された位置決め切欠２７ｃ、２７ｃが形成されている（図５参照）。支持筒部２７の右側縁からは円弧状を為すストッパー突部２７ｄが右方へ向けて突出され、該ストッパー突部２７ｄは位置決め切欠２７ｃ、２７ｃが形成されていない部分に形成されている。
【００３２】
支持筒部２８の左側縁からは円弧状を為すストッパー突部２８ａが左方へ向けて突出され、該ストッパー突部２８ａは支持筒部２７に設けられたストッパー突部２７ｄに対応した位置に設けられている。
【００３３】
支持フレーム２４は基部２５のネジ挿通孔２５ａ、２５ａと枠部２６のネジ挿通孔にそれぞれ取付ネジが挿通されて第２のケース１１のリアケース１１ｂに取り付けられて第２のケース１１内に配置される。支持フレーム２４が第２のケース１１内に配置された状態においては、支持筒部２７、２８がそれぞれ外側ヒンジ筒部１３、１３内に配置される。
【００３４】
支持プレート１９の左側の支持片部２１のシャフト挿通孔２１ａには第１のシャフト２９が挿通される。第１のシャフト２９は順に左側から長軸部３０とフランジ部３１と短軸部３２とが一体に形成されて成り、フランジ部３１は長軸部３０及び短軸部３２より外径が大きくされている。
【００３５】
長軸部３０の左端寄りの位置には取付溝３０ａが形成され、長軸部３０の右端部には、周面の１８０°反対側の部分にそれぞれ平面形状に形成された回転止め部３０ｂ、３０ｂが形成されている。
【００３６】
短軸部３２には、その周面に開口された孔３２ａが形成されている。短軸部３２の孔３２ａには軸状を為す規制突部３３が挿入されて取り付けられ、該規制突部３３の一端部が短軸部３２の周面から突出されている。
【００３７】
第１のシャフト２９は長軸部３０が支持片部２１のシャフト挿通孔２１ａに右側から挿入され、フランジ部３１が支持片部２１の右側面に接した状態とされる。第１のシャフト２９は長軸部３０の回転止め部３０ｂ、３０ｂが、それぞれシャフト挿通孔２１ａのカット面２１ｂ、２１ｂに係合され、支持プレート１９に対して回転不能とされる。
【００３８】
支持フレーム２４の支持筒部２７の右側縁部にはクリック部材３４が配置される。クリック部材３４は略円環状に形成され、中心を挟んで１８０°反対側の位置からそれぞれ放射方向へ向けて位置決め突部３４ａ、３４ａが突出されている。クリック部材３４の右側面には右方へ突出されたクリック突部３４ｂ、３４ｂが設けられ、該クリック突部３４ｂ、３４ｂは位置決め突部３４ａ、３４ａに対応した位置に設けられている。
【００３９】
クリック部材３４は位置決め突部３４ａ、３４ａがそれぞれ支持筒部２７の位置決め切欠２７ｃ、２７ｃに挿入されて支持筒部２７に支持され、該支持筒部２７に対して回転不能とされている。また、クリック部材３４の中心孔３４ｃには第１のシャフト２９の長軸部３０が挿入されるが、クリック部材３４は第１のシャフト２９に対して回転可能とされる。
【００４０】
支持筒部２７内には圧縮コイルバネ３５が配置され、該圧縮コイルバネ３５は支持筒部２７の左側面２７ａとクリック部材３４間に配置される（図７及び図８参照）。
【００４１】
上記のように支持筒部２７にクリック部材３４と圧縮コイルバネ３５とが配置された状態で、第１のシャフト２９の長軸部３０がクリック部材３４の中心孔３４ｃ、圧縮コイルバネ３５及び支持筒部２７の左側面２７ａの貫通孔２７ｂを貫通される。貫通された長軸部３０は、先端部が左側面２７ａから左方へ突出され、取付溝３０ａに抜け止めリング３６が取り付けられる。従って、圧縮コイルバネ３５は支持筒部２７の左側面２７ａとクリック部材３４とに弾接され、クリック部材３４は圧縮コイルバネ３５によって右方（図７及び図８に示す矢印Ｒ方向）へ付勢され支持プレート１９の支持片部２１に押し付けられる。
【００４２】
支持プレート１９の右側の支持片部２２のシャフト挿通孔２２ａには第２のシャフト３７が挿通される。第２のシャフト３７は順に左側から取付部３８とフランジ部３９と挿入軸部４０とが一体に形成されて成り、フランジ部３９は挿入軸部４０より外径が大きくされている。取付部３８は横断面形状で略半円状に形成され、平面状を為す面に開口する螺穴３８ａが形成されている。螺穴３８ａの両側の位置には、それぞれ第２のシャフト３７の軸方向に延びるスライド溝３８ｂ、３８ｂが形成されている。
【００４３】
挿入軸部４０の右端寄りの位置には取付溝４０ａが形成されている。挿入軸部４０の周面には１８０°反対側の部分にそれぞれ平面形状に形成された面取り部４０ｂ、４０ｂが形成され、該面取り部４０ｂ、４０ｂは挿入軸部４０の先端から軸方向における中間の位置まで形成されている。
【００４４】
第２のシャフト３７は挿入軸部４０が支持片部２２のシャフト挿通孔２２ａに左側から挿入され、フランジ部３９が支持片部２２の左側面に接した状態とされる。
【００４５】
支持フレーム２４の支持筒部２８内には固定部材４１が配置される。固定部材４１はカメラ装置１７の回転時に回転不能な状態にある固定部として機能し、それぞれ略円板状に形成された小径部４２と大径部４３とが一体に形成されて成る。固定部材４１には小径部４２の左側面と大径部４３の右側面とを貫通する挿通孔４１ａが形成され、小径部４２の周面の１８０°反対側の部分にはそれぞれ平面形状に形成された回り止め部４２ａ、４２ａが形成されている。大径部４３の右側面には、図９に示すように、周方向に離隔して第１の係合凹部４３ａ、第２の係合凹部４３ｂ及び第３の係合凹部４３ｃが形成されている。
【００４６】
固定部材４１は小径部４２が支持プレート１９の支持片部２２のシャフト挿通孔２２ａに挿入された状態で支持筒部２８内に配置される。固定部材４１は小径部４２の回り止め部４２ａ、４２ａが、それぞれシャフト挿通孔２２ａのカット面２２ｂ、２２ｂに係合され、支持プレート１９に対して回転不能とされる。
【００４７】
支持フレーム２４の支持筒部２８内には固定部材４１の右側に回転部材４４が配置される。回転部材４４は円板状に形成され、カメラ装置１７と一体となって回転される回転部として機能する。回転部材４４の中心部には挿入孔４４ａが形成され、該挿入孔４４ａには１８０°反対側の位置にそれぞれ平面形状に形成された回転規制部４４ｂ、４４ｂが形成されている。回転部材４４の左側面には、図９に示すように、左方へ突出された係合突部４４ｃが設けられている。
【００４８】
支持筒部２８内には回転部材４４の右側に付勢部材４５が配置され、該付勢部材４５として圧縮コイルバネが用いられている。
【００４９】
支持筒部２８内には付勢部材４５の右側に平板状に形成されたカバー４６が配置され、該カバー４６には被取付孔４６ａが形成されている。被取付孔４６ａには１８０°反対側の位置にそれぞれ平面形状に形成された規制部４６ｂ、４６ｂが形成されている。
【００５０】
上記のように支持筒部２８に固定部材４１、回転部材４４、付勢部材４５及びカバー４６が配置された状態で、第２のシャフト３７の挿入軸部４０が固定部材４１の挿通孔４１ａ、回転部材４４の挿入孔４４ａ、付勢部材４５及びカバー４６の被取付孔４６ａを順に貫通される。貫通された挿入軸部４０は、先端部がカバー４６から右方へ突出され、取付溝４０ａに抜け止めリング４７が取り付けられる。従って、付勢部材４５は回転部材４４とカバー４６とに弾接され、回転部材４４は付勢部材４５によって左方（図７及び図８に示す矢印Ｌ方向）へ付勢され固定部材４１の大径部４３に押し付けられる。回転部材４４とカバー４６はそれぞれ回転規制部４４ｂ、４４ｂ、規制部４６ｂ、４６ｂが挿入軸部４０の面取り部４０ｂ、４０ｂに係合され、第２のシャフト３７に対して回転不能とされる。
【００５１】
上記した支持プレート１９の支持片部２１、２２と支持フレーム２４の支持筒部２７、２８とを連結する第１のシャフト２９、第２のシャフト３７及び該第１のシャフト２９、第２のシャフト３７に組み付けられる各部材によってヒンジ機構１６が構成される。このヒンジ機構１６は第１の筐体１と第２の筐体２を回動可能に支持する機構として機能する他、カメラ装置１７を回転可能に支持するカメラ支持機構としても機能する。
【００５２】
以下に、第１の筐体１と第２の筐体２の開閉動作について説明する。
【００５３】
第１の筐体１と第２の筐体２が開閉されるときには、第１のシャフト２９は支持プレート１９に対して回転不能とされると共に支持フレーム２４に対して回転可能とされているため、第１のシャフト２９は支持プレート１９と一体となって支持フレーム２４に対して回転される。一方、第２のシャフト３７は支持プレート１９及び支持フレーム２４に対して回転可能とされている。
【００５４】
閉塞状態においては、図１０に示すように、支持プレート１９の支持片部２１のクリック凹部２１ｃにクリック部材３４の一方のクリック突部３４ｂが係合されている。このとき支持片部２１、２２の一方の端縁がそれぞれ支持フレーム２４の支持筒部２７、２８のストッパー突部２７ｄ、２８ａの一方の端縁に近接又は当接した状態とされている。
【００５５】
閉塞状態から第１の筐体１と第２の筐体２を開放していくと、支持プレート１９の支持片部２１に対してクリック部材３４が回転され、該クリック部材３４の一方のクリック突部３４ｂと支持片部２１のクリック凹部２１ｃとの係合が解除される。このときクリック部材３４によって圧縮コイルバネ３５が押圧され該圧縮コイルバネ３５が稍圧縮される。
【００５６】
さらに第１の筐体１と第２の筐体２を開放していくと、所定の位置まで回転されたところで、圧縮されていた圧縮コイルバネ３５が弾性復帰して、図１１に示すように、クリック部材３４の他方のクリック突部３４ｂと支持片部２１のクリック凹部２１ｃとが係合されて、第１の筐体１と第２の筐体２が開放状態に保持される。このとき支持片部２１、２２の他方の端縁がそれぞれ支持フレーム２４の支持筒部２７、２８のストッパー突部２７ｄ、２８ａの他方の端縁に近接又は当接した状態とされ、これ以上の第１の筐体１と第２の筐体２の開放方向への回動が規制される。
【００５７】
逆に、開放状態から第１の筐体１と第２の筐体２を閉塞していくと、支持プレート１９の支持片部２１に対してクリック部材３４が回転され、該クリック部材３４の他方のクリック突部３４ｂと支持片部２１のクリック凹部２１ｃとの係合が解除される。このときクリック部材３４によって圧縮コイルバネ３５が押圧され該圧縮コイルバネ３５が稍圧縮される。
【００５８】
さらに第１の筐体１と第２の筐体２を閉塞していくと、所定の位置まで回転されたところで、圧縮されていた圧縮コイルバネ３５が弾性復帰して、図１０に示すように、クリック部材３４の一方のクリック突部３４ｂと支持片部２１のクリック凹部２１ｃとが係合されて、第１の筐体１と第２の筐体２が閉塞状態に保持される。このとき支持片部２１、２２の一方の端縁がそれぞれ支持フレーム２４の支持筒部２７、２８のストッパー突部２７ｄ、２８ａの一方の端縁に近接又は当接した状態とされ、これ以上の第１の筐体１と第２の筐体２の閉塞方向への回動が規制される。
【００５９】
携帯電話機１００にあっては、上記のように、第１の筐体１と第２の筐体２が、何れかのクリック突部３４ｂ、３４ｂとクリック凹部２１ｃとが係合されることにより、開放状態又は閉塞状態に保持される。従って、クリック突部３４ｂ、３４ｂを有するクリック部材３４、クリック凹部２１ｃを有する支持片部２１及びクリック部材３４を支持片部２１に押し付ける圧縮コイルバネ３５は、第１の筐体１と第２の筐体２を開放状態又は閉塞状態に保持する保持手段として機能する。
【００６０】
このように携帯電話機１００には、第１の筐体１と第２の筐体２を開放状態又は閉塞状態に保持する保持手段が設けられているため、第１の筐体１と第２の筐体２をヒンジ部４を支点として開閉したときに、第１の筐体１と第２の筐体２が開放状態又は閉塞状態に確実に保持され、携帯電話機１００の使い勝手の向上を図ることができる。
【００６１】
また、携帯電話機１００にあっては、上記のように、支持プレート１９の支持片部２１、２２の何れかの端縁がそれぞれ支持フレーム２４の支持筒部２７、２８のストッパー突部２７ｄ、２８ａの何れかの端縁に近接又は当接されることにより、第１の筐体１と第２の筐体２が閉塞状態に保持されたときにそれ以上の第１の筐体１と第２の筐体２の閉塞方向への回動が規制されると共に第１の筐体１と第２の筐体２が開放状態に保持されたときにそれ以上の第１の筐体１と第２の筐体２の開放方向への回動が規制される。従って、支持プレート１９の支持片部２１、２２と支持筒部２７、２８のストッパー突部２７ｄ、２８ａとは、第１の筐体１と第２の筐体２が開放状態又は閉塞状態とされたときに両者の回動を規制する回動規制手段として機能する。
【００６２】
このように携帯電話機１００には、第１の筐体１と第２の筐体２の回動を規制する回動規制手段が設けられているため、第１の筐体１と第２の筐体２の必要以上の回動が規制され、携帯電話機１００の使い勝手の向上を図ることができると共に第１の筐体２と第２の筐体２の必要以上の回動による各部品の外れや破損等という不具合の発生を防止することができる。
【００６３】
次に、上記したカメラ装置１７についての詳細を説明する。
【００６４】
上記したようにカメラ装置１７は保護カバー１８と該保護カバー１８によって一部を除いた部分が覆われたカメラ本体４８とを備え、支持プレート１９の支持片部２１、２２と支持フレーム２４の支持筒部２７、２８とが第１のシャフト２９及び第２のシャフト３７を介して連結された状態において、支持片部２１、２２間に回転可能に支持される。
【００６５】
カメラ本体４８は保持ケース４９内に所定の各部が配置されて成り、保持ケース４９はカバー側ケース部４９ａとベース側ケース部４９ｂとが結合されて成る（図５及び図６参照）。
【００６６】
カバー側ケース部４９ａは、ベース側ケース部４９ｂ側に開口された横長の浅い箱状を為す基体部５０と、該基体部５０から左方へ突出された被支持部５１と、基体部５０から右方へ突出された被取付部５２とが一体に形成されて成る。
【００６７】
基体部５０にはレンズ配置孔５０ａが形成されている。
【００６８】
被支持部５１は左端部を除いた部分が円筒状に形成され、左端部が被規制突部５１ａとして設けられている。被規制突部５１ａは円弧状に形成され、周方向における一端縁が第１の被規制縁５１ｂとされ、周方向における他端縁が第２の被規制縁５１ｃとされている。
【００６９】
被取付部５２は横断面形状で略半円形状に形成され、平面部とその反対側の面を貫通するネジ挿通孔５２ａを有している。被取付部５２の平面部には、ネジ挿通孔５２ａを挟んだ両側の位置に、それぞれ左右方向に延びるスライド突部５２ｂ、５２ｂが設けられている。
【００７０】
ベース側ケース部４９ｂはカバー側ケース部４９ａ側に開口された横長の浅い箱状を為し、基体部５０より横幅が稍小さくされており、カバー側ケース部４９ａの基体部５０と、例えば、ネジ止めによって結合される。ベース側ケース部４９ｂは、その左側面が基体部５０の左側面と一致された状態でカバー側ケース部４９ａに結合される。
【００７１】
カメラ本体４８は撮像レンズ５３と所定の光学素子とを有し、撮像レンズ５３がカバー側ケース部４９ａのレンズ配置孔５０ａに配置されている。
【００７２】
カメラ本体４８は、被支持部５１と被取付部５２を除いた部分が保護カバー１８によって覆われ、被支持部５１と被取付部５２は保護カバー１８から左方又は右方へ突出されている。
【００７３】
カメラ装置１７は、以下のようにして第１のシャフト２９及び第２のシャフト３７に組み付けられる（図１２及び図１３参照）。
【００７４】
先ず、被取付部５２のスライド突部５２ｂ、５２ｂをそれぞれ第２のシャフト３７の取付部３８に形成されたスライド溝３８ｂ、３８ｂに挿入する（図１２参照）。このとき被支持部５１は第１のシャフト２９の直ぐ右側に位置される。
【００７５】
次に、カメラ装置１７を左方へスライドし保持ケース４９の被支持部５１に第１のシャフト２９の短軸部３２を挿入する（図１３参照）。従って、被支持部５１は第１のシャフト２９が挿入される挿入筒部としての役割を果たす。被支持部５１に短軸部３２を挿入すると、保持ケース４９のネジ挿通孔５２ａと第２のシャフト３７の螺穴３８ａが対応して位置される。
【００７６】
最後に、ネジ挿通孔５２ａを挿通した取付ネジ５４を第２のシャフト３７の螺穴３８ａに螺合する。
【００７７】
カメラ装置１７は第２のシャフト３７に取り付けられるため、該第２のシャフト３７と一体となって回転され、第１のシャフト２９に対して回転可能とされる。被支持部５１に短軸部３２が挿入された状態においては、該短軸部３２に取り付けられた規制突部３３が被規制突部５１ａに対応して位置される。
【００７８】
上記のように支持プレート１９と支持フレーム２４とがヒンジ機構１６を介して連結されると共にカメラ装置１７が回転可能に支持された状態において、本体用フレキシブルプリント配線板５５とカメラ用フレキシブルプリント配線板５６とが各別に配置される（図１４参照）。
【００７９】
本体用フレキシブルプリント配線板５５は、一端部が第１のケース５の内部に配置された回路基板８に設けられた図示しない本体用駆動回路のコネクター部に接続され、他端部が第２のケース６に配置された表示部１４の図示しないコネクター部に接続されている。本体用フレキシブルプリント配線板５５の中間部は、第２のシャフト３７の取付部３８の背面側を通り支持フレーム２４の支持筒部２８を巻回され基部２５の背面側を通るように配置されている。
【００８０】
カメラ用フレキシブルプリント配線板５６は、一端部が回路基板８に設けられた図示しないカメラ用駆動回路のコネクター部に接続され、他端部がカメラ装置１７のカメラ本体４８の図示しないコネクター部に接続されている。カメラ用フレキシブルプリント配線板５６の他端側の部分は、カメラ装置１７の保持ケース４９の被支持部５１を巻回され被支持部５１の背面側を通り保持ケース４９の外面に沿うようにして配置されており、他端部が２又状に分割された分割部５６ａ、５６ａとされている。
【００８１】
上記のように第１の筐体１と第２の筐体２とが開閉されるときには、本体用フレキシブルプリント配線板５５の第２のシャフト３７に巻回された部分が、第１の筐体１と第２の筐体２の開閉動作に伴って径が変動される。
【００８２】
また、カメラ装置１７が回転されるときには、カメラ用フレキシブルプリント配線板５６の保持ケース４９に巻回された部分が、カメラ装置１７の回転動作に伴って径が変動される。
【００８３】
以下に、カメラ装置１７の回転動作について説明する。
【００８４】
カメラ装置１７は第２のシャフト３７と一体となって第１のシャフト２９に対して回転され、第２のシャフト３７は支持プレート１９及び支持フレーム２４に対して回転可能とされているため、カメラ装置１７は支持プレート１９及び支持フレーム２４に対して回転される。
【００８５】
カメラ装置１７は第２の回転位置を中間位置として第１の回転位置と第３の回転位置との間を回転される。第１の回転位置は撮像レンズ５３が第１の筐体１に遮蔽された「遮蔽モード」の位置であり（図１５参照）、第２の回転位置は撮像レンズ５３が撮影者側を向く「自分側撮影モード」の位置であり（図１６参照）、第３の回転位置は撮像レンズ５３が撮影者の反対側を向く「相手側撮影モード」の位置である（図１７参照）。
【００８６】
第１の筐体１の第１のケース５の内部に配置された回路基板８の主面が向く方向に対して撮像レンズ５３の光軸が平行となる位置をカメラ装置１７の基準位置とすると、カメラ装置１７は、基準位置から正面側に、例えば、１３７°回転された位置が第１の回転位置とされ、基準位置から正面側に、例えば、１４°回転された位置が第２の回転位置とされ、基準位置から背面側に、例えば、１５０°回転された位置が第３の回転位置とされている。従って、カメラ装置１７は、例えば、２８７°の範囲で回転可能とされている。
【００８７】
第１の回転位置においては、図１８に示すように、固定部材４１の第１の係合凹部４３ａと回転部材４４の係合突部４４ｃとが係合されている。このとき、図２１に示すように、第１のシャフト２９に取り付けられた規制突部３３の先端部が保持ケース４９の第１の被規制縁５１ｂに近接又は当接した状態とされている。
【００８８】
規制突部３３は、カメラ装置１７が回転されたときに、保持ケース４９の被支持部５１の外面の回転軌跡から外方へ突出されないようになっている。従って、上記したように、規制突部３３にカメラ用フレキシブルプリント配線板５６を巻回した状態において、規制突部３３が巻回されたカメラ用フレキシブルプリント配線板５６に接触することがなく、被支持部５１の外周面側の空間をカメラ用フレキシブルプリント配線板５６を配置するためのスペースとして用いることができる。
【００８９】
このように被支持部５１の外周面側の空間をカメラ用フレキシブルプリント配線板５６を配置するためのスペースとして使用することにより、スペースの有効利用を図ることができ、携帯電話機１００の小型化を図ることができる。
【００９０】
第１の回転位置からカメラ装置１７を第２の回転位置へ向けて回転していくと、支持プレート１９の支持片部２２に固定された固定部材４１に対して第２のシャフト３７とともに回転部材４４が回転され、固定部材４１の第１の係合凹部４３ａと回転部材４４の係合突部４４ｃとの係合が解除される。回転部材４４によって付勢部材４５が押圧され該付勢部材４５が稍圧縮される。
【００９１】
さらにカメラ装置１７を回転していくと、第２の回転位置まで回転されたところで、圧縮されていた付勢部材４５が弾性復帰して、図１９に示すように、固定部材４１の第２の係合凹部４３ｂと回転部材４４の係合突部４４ｃとが係合されて、カメラ装置１７が第２の回転位置に保持される。
【００９２】
第２の回転位置からカメラ装置１７を第３の回転位置へ向けて回転していくと、固定部材４１に対して回転部材４４が回転され、固定部材４１の第２の係合凹部４３ｂと回転部材４４の係合突部４４ｃとの係合が解除される。回転部材４４によって付勢部材４５が押圧され該付勢部材４５が稍圧縮される。
【００９３】
さらにカメラ装置１７を回転していくと、第３の回転位置まで回転されたところで、圧縮されていた付勢部材４５が弾性復帰して、図２０に示すように、固定部材４１の第３の係合凹部４３ｃと回転部材４４の係合突部４４ｃとが係合されて、カメラ装置１７が第３の回転位置に保持される。このとき第１のシャフト２９に取り付けられた規制突部３３の先端部が保持ケース４９の第２の被規制縁５１ｃに近接又は当接した状態とされ（図２２参照）、これ以上のカメラ装置１７の不必要な回転が規制される。
【００９４】
逆に、第３の回転位置からカメラ装置１７を第２の回転位置へ向けて回転していくと、固定部材４１に対して回転部材４４が回転され、固定部材４１の第３の係合凹部４３ｃと回転部材４４の係合突部４４ｃとの係合が解除され、回転部材４４によって付勢部材４５が押圧され該付勢部材４５が稍圧縮される。
【００９５】
さらにカメラ装置１７を回転していくと、第２の回転位置まで回転されたところで、圧縮されていた付勢部材４５が弾性復帰して、図１９に示すように、固定部材４１の第２の係合凹部４３ｂと回転部材４４の係合突部４４ｃとが係合されて、カメラ装置１７が第２の回転位置に保持される。
【００９６】
第２の回転位置からカメラ装置１７を第１の回転位置へ向けて回転していくと、固定部材４１に対して回転部材４４が回転され、固定部材４１の第２の係合凹部４３ｂと回転部材４４の係合突部４４ｃとの係合が解除され、回転部材４４によって付勢部材４５が押圧され該付勢部材４５が稍圧縮される。
【００９７】
さらにカメラ装置１７を回転していくと、第１の回転位置まで回転されたところで、圧縮されていた付勢部材４５が弾性復帰して、図１８に示すように、固定部材４１の第１の係合凹部４３ａと回転部材４４の係合突部４４ｃとが係合されて、カメラ装置１７が第１の回転位置に保持される。このとき第１のシャフト２９に取り付けられた規制突部３３の先端部が保持ケース４９の第１の被規制縁５１ｂに近接又は当接した状態とされ（図２１参照）、これ以上のカメラ装置１７の不必要な回転が規制される。
【００９８】
以上に記載した通り、携帯電話機１００にあっては、固定部材４１の第１の係合凹部４３ａ、第２の係合凹部４３ｂ又は第３の係合凹部４３ｃと回転部材４４の係合突部４４ｃとが係合されることにより、第１の回転位置、第２の回転位置又は第３の回転位置にカメラ装置１７が保持される。従って、カメラ装置１７を回転したときに、撮影者自身がカメラ装置１７の回転位置を表示部１４に表示される画像を確認しながら決定する必要がなく、携帯電話機１００の使い勝手の向上を図ることができる。
【００９９】
また、カメラ装置１７を第２の回転位置又は第３の回転位置に保持した後に、所望のカメラアングルで撮影を行うことができる。
【０１００】
さらに、撮影時において、外部からの振動等によってもカメラ装置１７の回転位置が変動しないため、像ぶれや焦点ぼけ等の不具合を生じることがなく、カメラ装置１７による良好な撮影状態を確保することができる。
【０１０１】
加えて、携帯電話機１００には「遮蔽モード」となる第１の回転位置、「自分側撮影モード」となる第２の回転位置、「相手側撮影モード」となる第３の回転位置の３つの異なる回転位置が設定されている。
【０１０２】
従って、第１の回転位置が設定されていることにより、カメラ装置１７の不使用時には撮像レンズ５３を遮蔽して保護することができ、第２の回転位置及び第３の回転位置が設定されていることにより、カメラ装置１７の使用時には異なるモードで使用できるため機能性の向上による使い勝手の向上を図ることができる。
【０１０３】
携帯電話機１００にあっては、上記のように、カメラ装置１７の被規制突部５１ａの第１の被規制縁５１ｂ又は第２の被規制縁５１ｃが規制突部３３に近接又は当接されることにより、カメラ装置１７が第１の回転位置又は第３の回転位置に保持されたときにそれ以上のカメラ装置１７の不必要な回転が規制される。従って、カメラ装置１７の被支持部５１の被規制突部５１ａと第１のシャフト２９に取り付けられた規制突部３３とは、カメラ装置１７が第１の回転位置又は第３の回転位置に回転されたときにカメラ装置１７の回転を規制する回転規制手段として機能する。
【０１０４】
このように携帯電話機１００には、カメラ装置１７の回転を規制する回転規制手段が設けられているため、カメラ装置１７の必要以上の回転が規制され、携帯電話機１００の使い勝手の向上を図ることができると共にカメラ装置１７の必要以上の回転による各部品の外れや破損等という不具合の発生を防止することができる。
【０１０５】
また、携帯電話機１００にあっては、カメラ装置１７が第２のシャフト３７に対して、その軸方向にスライド可能とされ該軸方向に略直交する方向において着脱可能とされているため、ヒンジ機構１６の各部を分解することなくカメラ装置１７のみを第１のシャフト２９及び第２のシャフト３７から取り外すことができる。
【０１０６】
従って、カメラ装置１７に修理等が必要とされた場合にカメラ装置１７のみを第１のシャフト２９及び第２のシャフト３７から取り外せばよく、メンテナンス性の向上を図ることができる。
【０１０７】
さらに、携帯電話機１００にあっては、カメラ装置１７の基体部５０と支持プレート１９の支持片部２２との間に円柱状又は円筒状の部分のみが存在するため、基体部５０と支持片部２２との間の空間を本体用フレキシブルプリント配線板５５を配置するためのスペースとして用いることができ、配置スペースの有効活用により携帯電話機１００の小型化を図ることができる。
【０１０８】
次に、ヒンジ機構の第１の変形例について説明する（図２３及び図２４参照）。この第１の変形例に係るヒンジ機構１６Ａは、上記したヒンジ機構１６と比較して、カメラ装置の回転を規制する回転規制手段が異なること及びカメラ装置を所定の回転位置に保持する手段が異なることのみが相違するため、ヒンジ機構１６と比較して異なる部分についてのみ詳細に説明をし、その他の部分についてはヒンジ機構１６における同様の部分に付した符号と同じ符号を付して説明は省略する。
【０１０９】
支持プレート１９Ａは左右方向に長いベース部２０と該ベース部２０の左右両側縁からそれぞれ直角に折り曲げられた支持片部２１Ａ、２２Ａとベース部２０の左右両側縁から直角に折り曲げられた被取付部２３、２３とから成る。
【０１１０】
支持プレート１９Ａの支持片部２１Ａ、２２Ａの先端部には、それぞれシャフト挿通孔２１ｄ、２２ｃが形成されている。シャフト挿通孔２１ｄ、２２ｃには、支持プレート１９のシャフト挿通孔２１ａ、２２ａとは異なり、カット面が形成されていない。支持片部２２Ａの右側面には周方向に離隔して第１の係合凹部２２ｄ、第２の係合凹部２２ｅ及び第３の係合凹部２２ｆが形成されている。支持片部２２Ａの中間部には左方へ突出された回転規制突部２２ｇが設けられている。支持プレート１９Ａはカメラ装置１７Ａの回転時に回転不能な状態にある固定部として機能する。
【０１１１】
支持プレート１９Ａの左側の支持片部２１Ａのシャフト挿通孔２１ｄには第１のシャフト２９Ａが挿通される。第１のシャフト２９Ａは順に左側から長軸部３０Ａとフランジ部３１と短軸部３２Ａとが一体に形成されて成り、フランジ部３１は長軸部３０Ａ及び短軸部３２Ａより外径が大きくされている。第１のシャフト２９Ａの長軸部３０Ａには、第１のシャフト２９の長軸部３０と異なり、回転止め部３０ｂ、３０ｂが形成されていない。また、短軸部３２Ａには、第１のシャフト２９の短軸部３２と異なり、その周面に開口された孔３２ａが形成されていない。
【０１１２】
支持プレート１９Ａの右側の支持片部２２Ａのシャフト挿通孔２２ｃには第２のシャフト３７Ａが挿通される。第２のシャフト３７Ａは順に左側から取付部３８とフランジ部３９と挿入軸部４０Ａとが一体に形成されて成り、フランジ部３９は挿入軸部４０Ａより外径が大きくされている。
【０１１３】
挿入軸部４０Ａの左端部には他の部分より径が一回り大きな嵌合部４０ｃが設けられ、該嵌合部４０ｃの周面には１８０°反対側の部分にそれぞれ平面形状に形成されたカット部４０ｄ、４０ｄが形成されている。
【０１１４】
第２のシャフト３７Ａの嵌合部４０ｃにはストッパー部材５７が外嵌状に取り付けられる。ストッパー部材５７は円環部５７ａと該円環部５７ａの外周面から放射方向へ突出されたストッパー部５７ｂとから成る。円環部５７ａには嵌入孔５７ｃが形成され、該嵌入孔５７ｃの１８０°反対側の部分にそれぞれ平面形状に形成された回り止め面５７ｄ、５７ｄが形成されている。ストッパー部材５７は嵌入孔５７ｃに第２のシャフト３７Ａの嵌合部４０ｃが挿入されて嵌合され、該嵌合部４０ｃのカット部４０ｄ、４０ｄによって第２のシャフト３７Ａに対して回転不能とされている。
【０１１５】
第２のシャフト３７Ａは、ストッパー部材５７が取り付けられた状態において、挿入軸部４０Ａが支持片部２２Ａのシャフト挿通孔２２ｃに左側から挿入され、ストッパー部材５７が支持片部２２Ａの左側面に接した状態とされる。
【０１１６】
ヒンジ機構１６Ａにあっては、ヒンジ機構１６と異なり、固定部材４１は設けられていない。
【０１１７】
支持筒部２８に回転部材４４、付勢部材４５及びカバー４６が配置された状態で、第２のシャフト３７Ａの挿入軸部４０Ａが回転部材４４の挿入孔４４ａ、付勢部材４５及びカバー４６の被取付孔４６ａを順に貫通される。貫通された挿入軸部４０Ａは、先端部がカバー４６から右方へ突出され、取付溝４０ａに抜け止めリング４７が取り付けられる。従って、付勢部材４５は回転部材４４とカバー４６とに弾接され、回転部材４４は付勢部材４５によって左方（図２４に示す矢印Ｌ方向）へ付勢され支持プレート１９Ａの支持片部２２Ａに押し付けられる。
【０１１８】
上記した支持プレート１９Ａの支持片部２１Ａ、２２Ａと支持フレーム２４の支持筒部２７、２８とを連結する第１のシャフト２９Ａ、第２のシャフト３７Ａ及び該第１のシャフト２９Ａ、第２のシャフト３７Ａに組み付けられる各部材によってヒンジ機構１６Ａが構成される。このヒンジ機構１６Ａは第１の筐体１と第２の筐体２を回動可能に支持する機構として機能する他、カメラ装置１７Ａを回転可能に支持するカメラ支持機構としても機能する。
【０１１９】
ヒンジ機構１６Ａを用いた場合の第１の筐体１と第２の筐体２の開閉動作についてはヒンジ機構１６を用いた上記した場合と同様であるため、説明は省略する。
【０１２０】
尚、ヒンジ機構１６Ａにあっては、支持プレート１９Ａの支持片部２１Ａ、２２と支持筒部２７、２８のストッパー突部２７ｄ、２８ａとが、第１の筐体１と第２の筐体２が開放状態又は閉塞状態とされたときに両者の回動を規制する回動規制手段として機能する。
【０１２１】
また、ヒンジ機構１６Ａにあっては、クリック部材３４、支持片部２１Ａ及びクリック部材３４を支持片部２１Ａに押し付ける圧縮コイルバネ３５が、第１の筐体１と第２の筐体２を開放状態又は閉塞状態に保持する保持手段として機能する。
【０１２２】
カメラ装置１７Ａは保護カバー１８と該保護カバー１８によって一部を除いた部分が覆われたカメラ本体４８Ａとを備えている。
【０１２３】
カメラ本体４８Ａは保持ケース４９Ａ内に所定の各部が配置されて成り、保持ケース４９Ａはカバー側ケース部４９ｃとベース側ケース部４９ｂとが結合されて成る。
【０１２４】
カバー側ケース部４９ｃは、ベース側ケース部４９ｂ側に開口された横長の浅い箱状を為す基体部５０と、該基体部５０から左方へ突出された被支持部５１Ａと、基体部５０から右方へ突出された被取付部５２とが一体に形成されて成る。
【０１２５】
被支持部５１Ａは円筒状に形成され、カメラ装置１７の保持ケース４９の被支持部５１と異なり、被規制突部５１ａは設けられていない。
【０１２６】
カメラ装置１７Ａは、以下のようにして第１のシャフト２９Ａ及び第２のシャフト３７Ａに組み付けられる。
【０１２７】
先ず、被取付部５２のスライド突部５２ｂ、５２ｂをそれぞれ第２のシャフト３７Ａの取付部３８に形成されたスライド溝３８ｂ、３８ｂに挿入する。このとき被支持部５１Ａは第１のシャフト２９Ａの直ぐ右側に位置される。
【０１２８】
次に、カメラ装置１７Ａを左方へスライドし保持ケース４９Ａの被支持部５１Ａに第１のシャフト２９Ａの短軸部３２Ａを挿入する。被支持部５１Ａに短軸部３２Ａを挿入すると、保持ケース４９Ａのネジ挿通孔５２ａと第２のシャフト３７Ａの螺穴３８ａが対応して位置される。
【０１２９】
最後に、ネジ挿通孔５２ａを挿通した取付ネジ５４を第２のシャフト３７Ａの螺穴３８ａに螺合する。
【０１３０】
カメラ装置１７Ａが回転されるときには、支持プレート１９Ａの支持片部２２Ａに形成された第１の係合凹部２２ｄ、第２の係合凹部２２ｅ又は第３の係合凹部２２ｆと回転部材４４の係合突部４４ｃとが係合されて、カメラ装置１７Ａがそれぞれ第１の回転位置、第２の回転位置又は第３の回転位置に保持される。カメラ装置１７Ａが第１の回転位置と第３の回転位置に保持されたときには、ストッパー部材５７のストッパー部５７ｂが支持プレート１９Ａの支持片部２２Ａに設けられた回転規制突部２２ｇに近接又は当接した状態とされ、これ以上のカメラ装置１７Ａの不必要な回転が規制される。従って、ストッパー部材５７と支持プレート１９Ａの回転規制突部２２ｇとは、カメラ装置１７Ａの回転を規制する回転規制手段として機能する。
【０１３１】
以上に記載した通り、ヒンジ機構１６Ａにあっては、支持プレート１９Ａの支持片部２２Ａに第１の係合凹部２２ｄ、第２の係合凹部２２ｅ及び第３の係合凹部２２ｆが形成されており、これらの係合凹部を形成するための専用の部材を必要とせず、部品点数の削減を図ることができる。
【０１３２】
また、ヒンジ機構１６Ａにあっても、ヒンジ機構１６と同様に、カメラ装置１７Ａが第２のシャフト３７Ａに対して、その軸方向にスライド可能とされ該軸方向に略直交する方向において着脱可能とされているため、ヒンジ機構１６Ａの各部を分解することなくカメラ装置１７Ａのみを第１のシャフト２９Ａ及び第２のシャフト３７Ａから取り外すことができる。
【０１３３】
従って、カメラ装置１７Ａに修理等が必要とされた場合にカメラ装置１７Ａのみを第１のシャフト２９Ａ及び第２のシャフト３７Ａから取り外せばよく、メンテナンス性の向上を図ることができる。
【０１３４】
次に、ヒンジ機構の第２の変形例について説明する（図２５及び図２６参照）。この第２の変形例に係るヒンジ機構１６Ｂは、上記したヒンジ機構１６と比較して、カメラ装置の回転を規制する回転規制手段が異なること、カメラ装置を所定の回転位置に保持する手段が異なること及び第１のシャフトと第２のシャフトの形状が異なることのみが相違するため、ヒンジ機構１６と比較して異なる部分についてのみ詳細に説明をし、その他の部分についてはヒンジ機構１６における同様の部分に付した符号と同じ符号を付して説明は省略する。
【０１３５】
ヒンジ機構１６Ｂにあっては、第１の変形例に係るヒンジ機構１６Ａと同じ支持プレート１９Ａが用いられている。
【０１３６】
支持プレート１９Ａの左側の支持片部２１Ａのシャフト挿通孔２１ｄには第１のシャフト２９Ｂが挿通される。
【０１３７】
第１のシャフト２９Ｂは順に左側からフランジ部３１Ｂと長軸部３０Ｂと短軸部３２Ｂとが一体に形成されて成り、フランジ部３１Ｂは長軸部３０Ｂより外径が大きくされ、長軸部３０Ｂは短軸部３２Ｂより外径が大きくされている。長軸部３０Ｂの短軸部３２Ｂに寄った位置には、取付溝３０ｃが形成されている。第１のシャフト２９Ｂの長軸部３０Ｂには、第１のシャフト２９の長軸部３０と異なり、回転止め部３０ｂ、３０ｂが形成されていない。また、第１のシャフト２９Ｂの短軸部３２Ｂには、第１のシャフト２９の短軸部３２と異なり、その周面に開口された孔３２ａが形成されていない。
【０１３８】
支持プレート１９Ａの右側の支持片部２２Ａのシャフト挿通孔２２ｃには第２のシャフト３７Ｂが挿通される。第２のシャフト３７Ｂは順に左側から取付部３８Ｂとフランジ部３９Ｂと挿入軸部４０Ｂとが一体に形成されて成り、フランジ部３９Ｂは取付部３８Ｂ及び挿入軸部４０Ｂより外径が大きくされている。
【０１３９】
取付部３８Ｂは軸方向に短くされ、周面の１８０°反対側の部分にそれぞれ平面形状に形成された止め部３８ｃ、３８ｃが形成されている。
【０１４０】
挿入軸部４０Ｂの左端部には他の部分より径が一回り大きな嵌合部４０ｅが設けられ、該嵌合部４０ｅの周面には１８０°反対側の部分にそれぞれ平面形状に形成されたカット部４０ｆ、４０ｆが形成されている。
【０１４１】
第２のシャフト３７Ｂの嵌合部４０ｅにはストッパー部材５７が外嵌状に取り付けられる。ストッパー部材５７は嵌合部４０ｅのカット部４０ｆ、４０ｆによって第２のシャフト３７Ｂに対して回転不能とされている。
【０１４２】
第２のシャフト３７Ｂは、ストッパー部材５７が取り付けられた状態において、挿入軸部４０Ｂが支持片部２２Ａのシャフト挿通孔２２ｃに左側から挿入され、ストッパー部材５７が支持片部２２Ａの左側面に接した状態とされる。
【０１４３】
ヒンジ機構１６Ｂにあっては、ヒンジ機構１６と異なり、固定部材４１は設けられていない。
【０１４４】
支持筒部２８に回転部材４４、付勢部材４５及びカバー４６が配置された状態で、第２のシャフト３７Ｂの挿入軸部４０Ｂが回転部材４４の挿入孔４４ａ、付勢部材４５及びカバー４６の被取付孔４６ａを順に貫通される。貫通された挿入軸部４０Ｂは、先端部がカバー４６から右方へ突出され、取付溝４０ａに抜け止めリング４７が取り付けられる。従って、付勢部材４５は回転部材４４とカバー４６とに弾接され、回転部材４４は付勢部材４５によって左方（図２６に示す矢印Ｌ方向）へ付勢され支持プレート１９Ａの支持片部２２Ａに押し付けられる。
【０１４５】
上記した支持プレート１９Ａの支持片部２１Ａ、２２Ａと支持フレーム２４の支持筒部２７、２８とを連結する第１のシャフト２９Ｂ、第２のシャフト３７Ｂ及び該第１のシャフト２９Ｂ、第２のシャフト３７Ｂに組み付けられる各部材によってヒンジ機構１６Ｂが構成される。このヒンジ機構１６Ｂは第１の筐体１と第２の筐体２を回動可能に支持する機構として機能する他、カメラ装置１７Ｂを回転可能に支持するカメラ支持機構としても機能する。
【０１４６】
ヒンジ機構１６Ｂを用いた場合の第１の筐体１と第２の筐体２の開閉動作についてはヒンジ機構１６を用いた上記した場合と同様であるため、説明は省略する。
【０１４７】
尚、ヒンジ機構１６Ｂにあっては、支持プレート１９Ａの支持片部２１Ａ、２２Ａと支持筒部２７、２８のストッパー突部２７ｄ、２８ａとが、第１の筐体１と第２の筐体２が開放状態又は閉塞状態とされたときに両者の回動を規制する回動規制手段として機能する。
【０１４８】
また、ヒンジ機構１６Ｂにあっては、クリック部材３４、支持片部２１Ｃ及びクリック部材３４を支持片部２１Ｃに押し付ける圧縮コイルバネ３５が、第１の筐体１と第２の筐体２を開放状態又は閉塞状態に保持する保持手段として機能する。
【０１４９】
カメラ装置１７Ｂは保護カバー１８と該保護カバー１８によって一部を除いた部分が覆われたカメラ本体４８Ｂとを備えている。
【０１５０】
カメラ本体４８Ｂは保持ケース４９Ｂ内に所定の各部が配置されて成り、保持ケース４９Ｂはカバー側ケース部４９ｄとベース側ケース部４９ｂとが結合されて成る。
【０１５１】
カバー側ケース部４９ｄは、ベース側ケース部４９ｂ側に開口された横長の浅い箱状を為す基体部５０と、該基体部５０から左方へ突出された被支持部５１Ｂと、基体部５０から右方へ突出された被取付部５２Ｂとが一体に形成されて成る。
【０１５２】
被支持部５１Ｂは円筒状に形成され、カメラ装置１７の保持ケース４９の被支持部５１と異なり、被規制突部５１ａは設けられていない。
【０１５３】
被取付部５２Ｂには左右に延びるシャフト挿入孔５２ｃが形成され、該シャフト挿入孔５２ｃには１８０°反対側の部分にそれぞれ平面形状に形成された回り止めカット部５２ｄ、５２ｄが形成されている。
【０１５４】
カメラ装置１７Ｂは、以下のようにして第１のシャフト２９Ｂ及び第２のシャフト３７Ｂに組み付けられる。
【０１５５】
先ず、第１のシャフト２９Ｂを短軸部３２Ｂが支持プレート１９Ａの支持片部２１Ａのシャフト挿通孔２１ｄにその右方へ突出されない状態で挿入しておき、被取付部５２Ｂを第２のシャフト３７Ｂの取付部３８Ｂに外嵌状に取り付ける。被取付部５２Ｂが取付部３８Ｂに取り付けられた状態においては、シャフト挿入孔５２ｃの回り止めカット部５２ｄ、５２ｄと取付部３８Ｂの止め部３８ｃ、３８ｃとがそれぞれ係合されるため、カメラ装置１７Ｂが第２のシャフト３７Ｂに対して回転不能とされる。このとき被支持部５１Ｂは第１のシャフト２９Ｂの直ぐ右側に位置される。
【０１５６】
次に、第１のシャフト２９Ｂを右方へ移動して短軸部３２Ｂをカメラ装置１７Ｂの被支持部５１Ｂに挿入する。
【０１５７】
最後に、支持プレート１９Ａの支持片部２１Ａの右方において、第１のシャフト２９Ｂの取付溝３０ｃに抜け止めリング３６を取り付ける。
【０１５８】
カメラ装置１７Ｂが回転されるときには、支持プレート１９Ａの支持片部２２Ａに形成された第１の係合凹部２２ｄ、第２の係合凹部２２ｅ又は第３の係合凹部２２ｆと回転部材４４の係合突部４４ｃとが係合されて、カメラ装置１７Ｂがそれぞれ第１の回転位置、第２の回転位置又は第３の回転位置に保持される。カメラ装置１７Ｂが第１の回転位置と第３の回転位置に保持されたときには、ストッパー部材５７のストッパー部５７ｂが支持プレート１９Ａの支持片部２２Ａに設けられた回転規制突部２２ｇに近接又は当接した状態とされ、これ以上のカメラ装置１７Ｂの不必要な回転が規制される。従って、ストッパー部材５７と支持プレート１９Ａの回転規制突部２２ｇとは、カメラ装置１７Ｂの回転を規制する回転規制手段として機能する。
【０１５９】
以上に記載した通り、ヒンジ機構１６Ｂにあっては、カメラ装置１７Ｂの組付に際してネジ止めの工程を必要としないため、組付工程における作業性の向上を図ることができる。
【０１６０】
また、ヒンジ機構１６Ｂにあっては、ヒンジ機構１６Ａと同様に、支持プレート１９Ａの支持片部２２Ａに第１の係合凹部２２ｄ、第２の係合凹部２２ｅ及び第３の係合凹部２２ｆが形成されており、これらの係合凹部を形成するための専用の部材を必要とせず、部品点数の削減を図ることができる。
【０１６１】
次に、ヒンジ機構の第３の変形例について説明する（図２７乃至図２９参照）。この第３の変形例に係るヒンジ機構１６Ｃは、上記したヒンジ機構１６と比較して、カメラ装置の回転を規制する回転規制手段が異なること、カメラ装置を所定の回転位置に保持する手段が異なること及び第１のシャフトと第２のシャフトの形状が異なることのみが相違するため、ヒンジ機構１６と比較して異なる部分についてのみ詳細に説明をし、その他の部分についてはヒンジ機構１６における同様の部分に付した符号と同じ符号を付して説明は省略する。
【０１６２】
支持プレート１９Ｃは左右方向に長いベース部２０と該ベース部２０の左右両側縁から直角に折り曲げられた支持片部２１Ｃ、２２Ｃとベース部２０の左右両側縁から左方又は右方へ突出された被取付部２３、２３とから成る。
【０１６３】
支持プレート１９Ｃの支持片部２１Ｃ、２２Ｃの先端部には、それぞれシャフト挿通孔２１ｅ、２２ｈが形成されている。シャフト挿通孔２１ｅ、２２ｈには、支持プレート１９のシャフト挿通孔２１ａ、２２ａとは異なり、カット面が形成されていない。支持片部２２Ａの左側面には周方向に離隔して第１の係合凹部２２ｉ、第２の係合凹部２２ｊ及び第３の係合凹部２２ｋが形成されている。支持片部２２Ａの中間部には左方へ突出された回転規制突部２２ｌが設けられている。支持プレート１９Ｃはカメラ装置１７Ｂの回転時に回転不能な状態にある固定部として機能する。
【０１６４】
支持プレート１９Ｃの左側の支持片部２１Ｃのシャフト挿通孔２１ｅには、第２のヒンジ機構１６Ｂと同様の第１のシャフト２９Ｂが挿通される。
【０１６５】
支持プレート１９Ｃの右側の支持片部２２Ｃのシャフト挿通孔２２ｈには第２のシャフト３７Ｃが挿通される。第２のシャフト３７Ｃは順に左側から取付部３８Ｃとフランジ部３９Ｃと挿入軸部４０Ｃとが一体に形成されて成り、フランジ部３９Ｃは取付部３８Ｃ及び挿入軸部４０Ｃより外径が大きくされている。
【０１６６】
取付部３８Ｃは軸方向に短くされ、周面の１８０°反対側の部分にそれぞれ平面形状に形成された止め部３８ｄ、３８ｄが形成されている。
【０１６７】
挿入軸部４０Ｃの左端部には他の部分より径が一回り大きな嵌合部４０ｇが設けられ、該嵌合部４０ｇの周面には１８０°反対側の部分にそれぞれ平面形状に形成されたカット部４０ｈ、４０ｈが形成されている。
【０１６８】
第２のシャフト３７Ｃの嵌合部４０ｇにはストッパー部材５８が外嵌状に取り付けられる。ストッパー部材５８はカメラ装置１７Ｂと一体となって回転される回転部として機能する。ストッパー部材５８は円環部５８ａと該円環部５８ａの外周面から放射方向へ突出されたストッパー部５８ｂと円環部５８ａから右方へ突出された係合突部５８ｃとから成る。円環部５８ａには嵌入孔５８ｄが形成され、該嵌入孔５８ｄの１８０°反対側の部分にそれぞれ平面形状に形成された回り止め面５８ｅ、５８ｅが形成されている。
【０１６９】
ストッパー部材５８は嵌入孔５８ｄに第２のシャフト３７Ｃの嵌合部４０ｇが挿入されて嵌合され、該嵌合部４０ｇのカット部４０ｈ、４０ｈによって第２のシャフト３７Ｃに対して回転不能とされている。
【０１７０】
第２のシャフト３７Ｃは、ストッパー部材５８が取り付けられた状態において、挿入軸部４０Ｃが支持片部２２Ｃのシャフト挿通孔２２ｈ及び支持フレーム２４の支持筒部２８に左側から挿入され、ストッパー部材５８が支持片部２２Ｃの左側面に接した状態とされる。
【０１７１】
ヒンジ機構１６Ｃにあっては、ヒンジ機構１６と異なり、固定部材４１、回転部材４４、カバー４６及び抜け止めリング４７は設けられていない。
【０１７２】
上記した支持プレート１９Ｃの支持片部２１Ｃ、２２Ｃと支持フレーム２４の支持筒部２７、２８とを連結する第１のシャフト２９Ｂ、第２のシャフト３７Ｃ及び該第１のシャフト２９Ｂ、第２のシャフト３７Ｂに組み付けられる各部材によってヒンジ機構１６Ｃが構成される。このヒンジ機構１６Ｃは第１の筐体１と第２の筐体２を回動可能に支持する機構として機能する他、カメラ装置１７Ｂを回転可能に支持するカメラ支持機構としても機能する。
【０１７３】
ヒンジ機構１６Ｃを用いた場合の第１の筐体１と第２の筐体２の開閉動作についてはヒンジ機構１６を用いた上記した場合と同様であるため、説明は省略する。
【０１７４】
尚、ヒンジ機構１６Ｃにあっては、支持プレート１９Ｃの支持片部２１Ｃ、２２Ｃと支持筒部２７、２８のストッパー突部２７ｄ、２８ａとが、第１の筐体１と第２の筐体２が開放状態又は閉塞状態とされたときに両者の回動を規制する回動規制手段として機能する。
【０１７５】
また、ヒンジ機構１６Ｃにあっては、クリック部材３４、支持片部２１Ｃ及びクリック部材３４を支持片部２１Ｃに押し付ける圧縮コイルバネ３５が、第１の筐体１と第２の筐体２を開放状態又は閉塞状態に保持する保持手段として機能する。
【０１７６】
ヒンジ機構１６Ｃが用いられた場合にあっては、ヒンジ機構１６Ｂと同様のカメラ装置１７Ｂが用いられる。
【０１７７】
カメラ装置１７Ｂの被取付部５２Ｂの内部には、付勢部材４５が配置された状態で第２のシャフト３７Ｃの取付部３８Ｃが挿入される（図２９参照）。従って、被取付部５２Ｂは、内部に付勢部材４５が配置される筒部としての役割を果たす。付勢部材４５はカバー側ケース部４９ｄ内に設けられた支持壁部４９ｅと第２のシャフト３７Ｃの取付部３８Ｃの先端面とに弾接され、第２のシャフト３７Ｃ及びストッパー部材５８は付勢部材４５によって右方（図２８に示す矢印Ｒ方向）へ付勢され、ストッパー部材５８が支持プレート１９Ｃの支持片部２２Ｃに押し付けられる。
【０１７８】
カメラ装置１７Ｂは、以下のようにして第１のシャフト２９Ｂ及び第２のシャフト３７Ｃに組み付けられる。
【０１７９】
先ず、第１のシャフト２９Ｂを短軸部３２Ｃが支持プレート１９Ｃの支持片部２１Ｃのシャフト挿通孔２１ｅにその右方へ突出されない状態で挿入しておき、内部に付勢部材４５が配置された被取付部５２Ｂを第２のシャフト３７Ｃの取付部３８Ｃに外嵌状に取り付ける。被取付部５２Ｂが取付部３８Ｃに取り付けられた状態においては、シャフト挿入孔５２ｃの回り止めカット部５２ｄ、５２ｄと取付部３８Ｃの止め部３８ｄ、３８ｄとがそれぞれ係合されるため、カメラ装置１７Ｂが第２のシャフト３７Ｃに対して回転不能とされる。このとき被支持部５１Ｂは第１のシャフト２９Ｂの直ぐ右側に位置される。
【０１８０】
次に、第１のシャフト２９Ｂを右方へ移動して短軸部３２Ｃをカメラ装置１７Ｂの被支持部５１Ｂに挿入する。
【０１８１】
最後に、支持プレート１９Ｃの支持片部２１Ｃの右方において、第１のシャフト２９Ｂの取付溝３０ｃに抜け止めリング３６を取り付ける。
【０１８２】
カメラ装置１７Ｂが回転されるときには、支持プレート１９Ｃの支持片部２２Ｃに形成された第１の係合凹部２２ｉ、第２の係合凹部２２ｊ又は第３の係合凹部２２ｋとストッパー部材５８の係合突部５８ｃとが係合されて、カメラ装置１７Ｂがそれぞれ第１の回転位置、第２の回転位置又は第３の回転位置に保持される。カメラ装置１７Ｂが第１の回転位置と第３の回転位置に保持されたときには、ストッパー部材５８のストッパー部５８ｂが支持プレート１９Ｃの支持片部２２Ｃに設けられた回転規制突部２２ｌに近接又は当接した状態とされ、これ以上のカメラ装置１７Ｂの不必要な回転が規制される。従って、ストッパー部材５８と支持プレート１９Ｃの回転規制突部２２ｌとは、カメラ装置１７Ｂの回転を規制する回転規制手段として機能する。
【０１８３】
以上に記載した通り、ヒンジ機構１６Ｃにあっては、ヒンジ機構１６Ｂと同様に、カメラ装置１７Ｂの組付に際してネジ止めの工程を必要としないため、組付工程における作業性の向上を図ることができる。
【０１８４】
また、ヒンジ機構１６Ｃにあっては、ヒンジ機構１６Ａ及びヒンジ機構１６Ｂと同様に、支持プレート１９Ｃの支持片部２２Ｃに第１の係合凹部２２ｉ、第２の係合凹部２２ｊ及び第３の係合凹部２２ｋが形成されており、これらの係合凹部を形成するための専用の部材を必要とせず、部品点数の削減を図ることができる。
【０１８５】
さらに、ヒンジ機構１６Ｃにあっては、ストッパー部材５８に係合突部５８ｃを設け、第１の係合凹部２２ｉ、第２の係合凹部２２ｊ又は第３の係合凹部２２ｋに係合させるようにしているため、係合突部を設けるための専用の部材を必要とせず、部品点数の一層の削減を図ることができる。
【０１８６】
さらにまた、ヒンジ機構１６Ｃにあっては、付勢部材４５の付勢力によって第２のシャフト３７Ｃを右方へ付勢しフランジ部３９Ｃをストッパー部材５８を介して支持プレート１９Ｃの支持片部２２Ｃに押し付けているため、支持片部２２Ｃ及び支持フレーム２４の支持筒部２８からの第２のシャフト３７Ｃの脱落を防止するための抜け止めリングを必要とせず、その分、部品点数の削減を図ることができる。
【０１８７】
また、付勢部材４５の一端が弾接される部分がカメラ装置１７Ｂの保持ケース４９Ｂの内部に支持壁部４９ｅとして一体に形成されているため、一層の部品点数の削減を図ることができる。
【０１８８】
加えて、ヒンジ機構１６Ｃにあっては、コイルバネである付勢部材４５をカメラ装置１７Ｂの保持ケース４９Ｂの被取付部５２Ｂ内に配置しており、被取付部５２Ｂの外周側の空間を本体用フレキシブルプリント配線板５５を配置するためのスペースとして用いることができ、配置スペースの有効活用により携帯電話機１００の小型化を図ることができる。
【０１８９】
次に、第２の実施の形態について説明する（図３０乃至図３３参照）。この第２の実施の形態は、上記した第１の実施の形態と比較して、ヒンジ機構及びカメラ装置の構成が一部異なることが相違するため、第１の実施の形態と比較して異なる部分についてのみ詳細に説明をし、その他の部分については第１の実施の形態における同様の部分に付した符号と同じ符号を付して説明は省略する。
【０１９０】
第１の筐体１の内部には支持プレート５９が配置されている。支持プレート５９は左右方向に長いベース部６０と該ベース部６０の左右両側縁からそれぞれ直角に折り曲げられた支持片部６１、６２とベース部６０の左右両側縁から左方又は右方へ突出された被取付部６３、６３とから成る。支持片部６１、６２の先端部には、それぞれシャフト挿通孔６１ａ、６２ａが形成されている。左側に位置する支持片部６１の中間部には、その左側面にクリック凹部６１ｂが形成されている。
【０１９１】
ベース部６０の右端部には取付螺孔６０ａが形成され、被取付部６３、６３にはそれぞれ被取付孔６３ａ、６３ａが形成されている。
【０１９２】
支持プレート５９は被取付孔６３ａ、６３ａをそれぞれ挿通されたネジ部材によって第１のケース５のリアケース５ｂに取り付けられて第１のケース５内に配置される。支持プレート５９が第１のケース５内に配置された状態においては、支持片部６１、６２がそれぞれ内側ヒンジ筒部７、７内に配置される。
【０１９３】
第２の筐体２の内部には支持フレーム２４が配置されている。
【０１９４】
支持プレート５９の左側の支持片部６１のシャフト挿通孔６１ａには第１のシャフト６４が挿通される。第１のシャフト６４は順に左側から長軸部６５とフランジ部６６と短軸部６７とが一体に形成されて成り、フランジ部６６は長軸部６５及び短軸部６７より外径が大きくされている。
【０１９５】
長軸部６５の左端寄りの位置には取付溝６５ａが形成されている。
【０１９６】
第１のシャフト６４は長軸部６５が支持片部６１のシャフト挿通孔６１ａに右側から挿入され、フランジ部６６が支持片部６１の右側面に接した状態とされる。
【０１９７】
支持フレーム２４の支持筒部２７の右側縁部にはクリック部材３４が配置される。支持筒部２７内には圧縮コイルバネ３５が配置され、該圧縮コイルバネ３５は支持筒部２７の左側面２７ａとクリック部材３４間に配置される。
【０１９８】
上記のように支持筒部２７にクリック部材３４と圧縮コイルバネ３５とが配置された状態で、第１のシャフト６４の長軸部６５がクリック部材３４の中心孔３４ｃ、圧縮コイルバネ３５及び支持筒部２７の左側面２７ａの貫通孔２７ｂを貫通される。貫通された長軸部６５は、先端部が左側面２７ａから左方へ突出され、取付溝６５ａに抜け止めリング３６が取り付けられる。従って、圧縮コイルバネ３５は支持筒部２７の左側面２７ａとクリック部材３４とに弾接され、クリック部材３４は圧縮コイルバネ３５によって右方（図３１に示す矢印Ｒ方向）へ付勢され支持プレート５９の支持片部６１に押し付けられる。
【０１９９】
支持プレート５９の右側の支持片部６２のシャフト挿通孔６２ａには第２のシャフト６８が挿通される。第２のシャフト６８は左側に位置するフランジ部６９とその右側に位置する挿入軸部７０とが一体に形成されて成り、フランジ部６９は挿入軸部７０より外径が大きくされている。挿入軸部７０の右端寄りの位置には取付溝７０ａが形成されている。
【０２００】
第２のシャフト６８は挿入軸部７０が支持片部６２のシャフト挿通孔６２ａに左側から挿入され、フランジ部６９が支持片部６２の左側面に接した状態とされる。挿入軸部７０は、先端部が支持フレーム２４の支持筒部２８から右方へ突出され、取付溝７０ａに抜け止めリング４７が取り付けられる。
【０２０１】
上記した支持プレート５９の支持片部６１、６２と支持フレーム２４の支持筒部２７、２８とを連結する第１のシャフト６４、第２のシャフト６８及び該第１のシャフト６４、第２のシャフト６８に組み付けられる各部材によってヒンジ機構１６Ｄが構成される。このヒンジ機構１６Ｄは第１の筐体１と第２の筐体２を回動可能に支持する機構として機能する他、第１のシャフト６４及び該第１のシャフト６４に組み付けられる各部材はカメラ装置７１を回転可能に支持するカメラ支持機構としても機能する。
【０２０２】
ヒンジ機構１６Ｄを用いた場合の第１の筐体１と第２の筐体２の開閉動作についてはヒンジ機構１６を用いた上記した場合と同様であるため、説明は省略する。
【０２０３】
尚、ヒンジ機構１６Ｄにあっては、支持プレート５９の支持片部６１、６２と支持筒部２７、２８のストッパー突部２７ｄ、２８ａとが、第１の筐体１と第２の筐体２が開放状態又は閉塞状態とされたときに両者の回動を規制する回動規制手段として機能する。
【０２０４】
また、ヒンジ機構１６Ｄにあっては、クリック部材３４、支持片部６１及びクリック部材３４を支持片部６１に押し付ける圧縮コイルバネ３５が、第１の筐体１と第２の筐体２を開放状態又は閉塞状態に保持する保持手段として機能する。
【０２０５】
カメラ装置７１は保護カバー１８と該保護カバー１８によって一部を除いた部分が覆われたカメラ本体７２とを備え、支持プレート５９の支持片部６１、６２と支持フレーム２４の支持筒部２７、２８とが第１のシャフト６４及び第２のシャフト６８を介して連結された状態において、支持片部６１、６２間に回転可能に支持される。
【０２０６】
カメラ本体７２は保持ケース７３内に所定の各部が配置されて成り、保持ケース７３はカバー側ケース部７４とベース側ケース部７５とが結合されて成る。
【０２０７】
カバー側ケース部７４は、ベース側ケース部７５側に開口された横長の浅い箱状を為す基体部７６と、該基体部７６から左方へ突出された被支持部７７とが一体に形成されて成る。基体部７６にはレンズ配置孔７６ａが形成されている。被支持部７７は円筒状に形成されている。
【０２０８】
ベース側ケース部７５はカバー側ケース部７４側に開口された横長の浅い箱状に形成されている。
【０２０９】
保持ケース７３の右側面部は取付部７８として形成され、該取付部７８の中央部に配置凹部７８ａが形成されている。取付部７８の外周縁には３つのネジ穴７８ｂ、７８ｂ、７８ｂが形成されている。
【０２１０】
カメラ本体７２は撮像レンズ５３と所定の光学素子とを有し、撮像レンズ５３がカバー側ケース部７４のレンズ配置孔７６ａに配置されている。
【０２１１】
保持ケース７３の取付部７８には回転部材７９が取り付けられる。回転部材７９は略円板状に形成され、カメラ装置７１と一体となって回転される回転部として機能する。回転部材７９の中心部には挿入孔７９ａが形成されている。回転部材７９の右側面には右方へ突出されたストッパー突片７９ｂが設けられている。回転部材７９には周方向に離隔してネジ挿入孔７９ｃ、７９ｃ、７９ｃが形成されている。
【０２１２】
回転部材７９には周方向に離隔して各一対の第１の係合凹部７９ｄ、７９ｄ、第２の係合凹部７９ｅ、７９ｅ及び第３の係合凹部７９ｆ、７９ｆが形成されている。第１の係合凹部７９ｄ、７９ｄ、第２の係合凹部７９ｅ、７９ｅ及び第３の係合凹部７９ｆ、７９ｆは、それぞれ挿入孔７９ａを挟んで反対側に形成された２つの凹部によって構成されている。
【０２１３】
回転部材７９はネジ挿入孔７９ｃ、７９ｃ、７９ｃにそれぞれ挿入されたネジ８０、８０、８０がネジ穴７８ｂ、７８ｂ、７８ｂに螺合されることにより、カメラ装置７１の取付部７８に取り付けられる。
【０２１４】
カメラ装置７１の右方には板状の材料が所定の形状に折り曲げられて形成された支持部材８１が配置される。支持部材８１は基部８２と該基部８２に対して９０°折り曲げられた連接部８３と該連接部８３に連続する支持部８４とから成る。基部８２にはネジ挿通孔８２ａが形成されている。連接部８３には、その幅方向における両端縁にそれぞれ規制用係合縁８３ａ、８３ａが形成されている。支持部８４には、その中央部に支持孔８４ａが形成され、該支持孔８４ａを挟んだ反対側の端縁にそれぞれ規制凹部８４ｂ、８４ｂが形成されている。
【０２１５】
支持部材８１は基部８２のネジ挿通孔８２ａを挿通された取付用ネジ８５が支持プレート５９の取付螺孔６０ａに螺合されることにより支持プレート５９に取り付けられる。
【０２１６】
回転部材７９と支持部材８１との間には付勢部材としての皿バネ８６が配置される。皿バネ８６はカメラ装置７１の回転時に回転不能な状態にある固定部としても機能する。
【０２１７】
従って、付勢部材として用いられた皿バネ８６が固定部としても機能するため、部品点数の削減及び機構の簡素化を図ることができる。
【０２１８】
皿バネ８６は円環状に形成されたバネ部８７と該バネ部８７の１８０°反対側の両端縁からそれぞれ右方へ突出された被規制突部８８、８８とが一体に形成されて成り、バネ部８７は被規制突部８８、８８を結ぶ方向における中央部が左方へ膨出されている。バネ部８７には、その中央部に軸挿通孔８７ａが形成され、該軸挿通孔８７ａを挟んだ互いに反対側の位置にそれぞれ左方へ突出された係合突部８７ｂ、８７ｂが設けられている。
【０２１９】
回転部材７９と皿バネ８６と支持部材８１とはカシメ軸８９によって結合される。カシメ軸８９は左側に位置する張出部８９ａとその右側に位置する軸部８９ｂとを有している。カシメ軸８９は、軸部８９ｂが順に回転部材７９の挿入孔７９ａ、皿バネ８６の軸挿通孔８７ａ及び支持部材８１の支持孔８４ａを挿通された状態で、軸部８９ｂの右端部が加締められてカシメ部８９ｃとして形成され、張出部８９ａはカメラ装置７１の保持ケース７３の配置凹部７８ａに配置される。このように回転部材７９と皿バネ８６と支持部材８１とがカシメ軸８９によって結合された状態において、皿バネ８６の被規制突部８８、８８がそれぞれ支持部材８１の規制凹部８４ｂ、８４ｂに係合されて皿バネ８６が支持部材８１に対して回転不能とされ、カメラ装置７１と回転部材７９が支持部材８１に対してカシメ軸８９を介して一体となって回転される。また、皿バネ８６は、その左方（図３１に示す矢印Ｌ方向）に位置する回転部材７９に弾接される。
【０２２０】
カメラ装置７１は、被支持部７７に第１のシャフト６４の短軸部６７が挿入されることにより、第１のシャフト６４及び支持部材８１に対して回転可能とされる。
【０２２１】
上記のように支持プレート５９と支持フレーム２４とがヒンジ機構１６Ｄを介して連結されると共にカメラ装置７１が回転可能に支持された状態において、本体用フレキシブルプリント配線板５５とカメラ用フレキシブルプリント配線板５６とが各別に配置される。
【０２２２】
以下に、カメラ装置７１の回転動作について説明する。
【０２２３】
カメラ装置７１は第２の回転位置を中間位置として第１の回転位置と第３の回転位置との間を回転される。第１の回転位置、第２の回転位置及び第３の回転位置は、それぞれ上記カメラ装置１７の第１の回転位置、第２の回転位置及び第３の回転位置と同じ位置である。
【０２２４】
第１の回転位置においては、回転部材７９の第１の係合凹部７９ｄ、７９ｄと皿バネ８６の係合突部８７ｂ、８７ｂとが係合されている。このとき回転部材７９のストッパー突片７９ｂが支持部材８１の一方の規制用係合縁８３ａに近接又は当接した状態とされている。
【０２２５】
第１の回転位置からカメラ装置７１を第２の回転位置へ向けて回転していくと、皿バネ８６に対してカメラ装置７１とともに回転部材７９が回転され、回転部材７９の第１の係合凹部７９ｄ、７９ｄと皿バネ８６の係合突部８７ｂ、８７ｂとの係合が解除される。回転部材７９によって皿バネ８６が押圧され該皿バネ８６が稍圧縮される。
【０２２６】
さらにカメラ装置７１を回転していくと、第２の回転位置まで回転されたところで、圧縮されていた皿バネ８６が弾性復帰して、回転部材７９の第２の係合凹部７９ｅ、７９ｅと皿バネ８６の係合突部８７ｂ、８７ｂとが係合されて、カメラ装置７１が第２の回転位置に保持される。
【０２２７】
第２の回転位置からカメラ装置７１を第３の回転位置へ向けて回転していくと、皿バネ８６に対して回転部材７９が回転され、回転部材７９の第２の係合凹部７９ｅ、７９ｅと皿バネ８６の係合突部８７ｂ、８７ｂとの係合が解除される。回転部材７９によって皿バネ８６が押圧され該皿バネ８６が稍圧縮される。
【０２２８】
さらにカメラ装置７１を回転していくと、第３の回転位置まで回転されたところで、圧縮されていた皿バネ８６が弾性復帰して、回転部材７９の第３の係合凹部７９ｆ、７９ｆと皿バネ８６の係合突部８７ｂ、８７ｂとが係合されて、カメラ装置７１が第３の回転位置に保持される。このとき回転部材７９のストッパー突片７９ｂが支持部材８１の他方の規制用係合縁８３ａに近接又は当接した状態とされ、これ以上のカメラ装置７１の不必要な回転が規制される。従って、回転部材７９のストッパー突片７９ｂと支持部材８１とは、カメラ装置７１の回転を規制する回転規制手段として機能する。
【０２２９】
逆に、第３の回転位置からカメラ装置７１を第２の回転位置へ向けて回転していくと、皿バネ８６に対して回転部材７９が回転され、回転部材７９の第３の係合凹部７９ｆ、７９ｆと皿バネ８６の係合突部８７ｂ、８７ｂとの係合が解除される。回転部材７９によって皿バネ８６が押圧され該皿バネ８６が稍圧縮される。
【０２３０】
さらにカメラ装置７１を回転していくと、第２の回転位置まで回転されたところで、圧縮されていた皿バネ８６が弾性復帰して、回転部材７９の第２の係合凹部７９ｅ、７９ｅと皿バネ８６の係合突部８７ｂ、８７ｂとが係合されて、カメラ装置７１が第２の回転位置に保持される。
【０２３１】
第２の回転位置からカメラ装置７１を第１の回転位置へ向けて回転していくと、皿バネ８６に対して回転部材７９が回転され、回転部材７９の第２の係合凹部７９ｅ、７９ｅと皿バネ８６の係合突部８７ｂ、８７ｂとの係合が解除される。回転部材７９によって皿バネ８６が押圧され該皿バネ８６が稍圧縮される。
【０２３２】
さらにカメラ装置７１を回転していくと、第１の回転位置まで回転されたところで、圧縮されていた皿バネ８６が弾性復帰して、回転部材７９の第１の係合凹部７９ｄ、７９ｄと皿バネ８６の係合突部８７ｂ、８７ｂとが係合されて、カメラ装置７１が第１の回転位置に保持される。このとき回転部材７９のストッパー突片７９ｂが支持部材８１の一方の規制用係合縁８３ａに近接又は当接した状態とされ、これ以上のカメラ装置７１の不必要な回転が規制される。
【０２３３】
上記した第２の実施の形態におけるヒンジ機構１６Ｄにあっては、カメラ装置７１が第１のシャフト６４と支持部材８１に支持され、第２のシャフト６８に支持されず、カメラ装置７１を支持するカメラ支持機構と本体部３の支持機構が一部分離されているため、組立が容易であり、組立作業における作業性の向上を図ることができる。
【０２３４】
次に、第２の実施の形態におけるヒンジ機構の第１の変形例について説明する（図３２及び図３３参照）。この第１の変形例に係るヒンジ機構１６Ｅは、上記したヒンジ機構１６Ｄと比較して、カメラ装置の回転を規制する回転規制手段が異なること、本体部の回動を規制する回動規制手段が異なること及びカメラ装置を所定の回転位置に保持する手段が異なることのみが相違するため、ヒンジ機構１６Ｄと比較して異なる部分についてのみ詳細に説明をし、その他の部分についてはヒンジ機構１６Ｄにおける同様の部分に付した符号と同じ符号を付して説明は省略する。
【０２３５】
支持プレート５９Ｅは左右方向に長いベース部６０Ｅと該ベース部６０Ｅの左右両側縁からそれぞれ直角に折り曲げられた支持片部６１、６２Ｅとベース部６０Ｅの左右両側縁から左方又は右方へ突出された被取付部６３、６３とから成る。
【０２３６】
支持プレート５９Ｅの支持片部６２Ｅの先端部にはシャフト挿通孔６２ｂが形成され、該シャフト挿通孔６２ｂの１８０°反対側の部分にはそれぞれ平面状を為すカット面６２ｃ、６２ｃが形成されている。支持片部６２Ｅには周方向に離隔して各一対の第１の係合凹部６２ｄ、６２ｄ、第２の係合凹部６２ｅ、６２ｅ及び第３の係合凹部６２ｆ、６２ｆが形成されている。第１の係合凹部６２ｄ、６２ｄ、第２の係合凹部６２ｅ、６２ｅ及び第３の係合凹部６２ｆ、６２ｆは、それぞれシャフト挿通孔６２ｂを挟んで反対側に形成された２つの凹部によって構成されている。
【０２３７】
支持プレート５９Ｅの支持片部６２Ｅは、カメラ装置７１Ｅの回転時に回転不能な状態にある固定部として機能する。
【０２３８】
支持片部６２Ｅの中間部には左方へ突出された回転規制突部６２ｇが設けられている。支持プレート５９Ｅはカメラ装置７１Ｅの回転時に回転不能な状態にある固定部として機能する。
【０２３９】
支持フレーム２４Ｅは横長の基部２５と該基部２５の上側に設けられた枠部２６と基部２５から下方へ突出された支持筒部２７、２８Ｅとから成る。
【０２４０】
支持筒部２８Ｅには、その右側縁から円弧状を為すストッパー突部２８ｂが右方へ向けて突出され、該ストッパー突部２８ｂは支持筒部２７に設けられたストッパー突部２７ｄに対応した位置に設けられている。
【０２４１】
支持プレート５９Ｅの左側の支持片部６１のシャフト挿通孔６１ａには第１のシャフト９０が挿通される。第１のシャフト９０は左側に位置するフランジ部９１とその右側に位置する軸部９２とが一体に形成されて成り、該軸部９２の右端寄りの位置に取付溝９２ａが形成されている。
【０２４２】
支持プレート５９Ｅの右側の支持片部６２Ｅのシャフト挿通孔６２ｂには第２のシャフト９３が挿通される。第２のシャフト９３は順に左側から支持軸部９４と嵌入部９５と挿入軸部９６とが一体に形成されて成る。
【０２４３】
支持軸部９４には取付溝９４ａが形成されている。嵌入部９５は外径が支持軸部９４より大きくされており、１８０°反対側の部分にそれぞれ平面状を為すカット面部９５ａ、９５ａが形成されている。挿入軸部９６は外径が嵌入部９５より大きくされており、挿入軸部９６の右端寄りの位置にストッパー部材９７が取り付けられている。
【０２４４】
ストッパー部材９７は円環部９７ａと該円環部９７ａの外周面から放射方向へ突出されたストッパー部９７ｂとから成り、第２のシャフト９３に対して回転不能とされている。
【０２４５】
支持プレート５９Ｅの支持片部６２Ｅの左側には付勢部材としての皿バネ８６Ｅが配置される。皿バネ８６Ｅはカメラ装置７１Ｅの回転時に該カメラ装置７１Ｅと一体となって回転される回転部としても機能する。
【０２４６】
従って、付勢部材として用いられた皿バネ８６Ｅが回転部としても機能するため、部品点数の削減及び機構の簡素化を図ることができる。
【０２４７】
皿バネ８６Ｅは円環状に形成されたバネ部８７Ｅと該バネ部８７Ｅの１８０°反対側の両端縁からそれぞれ左方へ突出された被規制突部８８Ｅ、８８Ｅとが一体に形成されて成り、バネ部８７Ｅは被規制突部８８Ｅ、８８Ｅを結ぶ方向における中央部が右方へ膨出されている。バネ部８７Ｅには、その中央部に軸挿通孔８７ｃが形成され、該軸挿通孔８７ｃを挟んだ互いに反対側の位置にそれぞれ右方へ突出された係合突部８７ｄ、８７ｄが設けられている。
【０２４８】
ヒンジ機構１６Ｅには支持部材８１は設けられていない。
【０２４９】
カメラ装置７１Ｅは保護カバー１８と該保護カバー１８によって一部を除いた部分が覆われたカメラ本体７２Ｅとを備えている。
【０２５０】
カメラ本体７２Ｅは保持ケース７３Ｅ内に所定の各部が配置されて成り、保持ケース７３Ｅはカバー側ケース部７４Ｅとベース側ケース部７５とが結合されて成る。
【０２５１】
カバー側ケース部７４Ｅは、ベース側ケース部７５側に開口された横長の浅い箱状を為す基体部７６と、該基体部７６から左方へ突出された被支持部７７と基体部７６の右側面に設けられた取付部７８Ｅとが一体に形成されて成る。
【０２５２】
取付部７８Ｅの中央部には軸貫通孔７８ｃが形成されている。取付部７８Ｅには、軸貫通孔７８ｃを挟んだ反対側の位置にそれぞれ取付凹部７８ｄ、７８ｄが形成されている。取付部７８Ｅの外周縁には円弧状を為す規制用突部７８ｅが設けられている。
【０２５３】
保持ケース７３Ｅの取付部７８Ｅには皿バネ８６Ｅが取り付けられる。皿バネ８６Ｅは被規制突部８８Ｅ、８８Ｅがそれぞれ取付凹部７８ｄ、７８ｄに係合されて取付部７８Ｅに取り付けられ、カメラ装置７１Ｅに対して回転不能とされる。
【０２５４】
第２のシャフト９３は、ストッパー部材９７が取り付けられた状態において、挿入軸部９６が支持フレーム２４Ｅの支持筒部２８Ｅを右側から挿入され、嵌入部９５が支持プレート５９Ｅの支持片部６２Ｅのシャフト挿通孔６２ｂに嵌合され、支持軸部９４が皿バネ８６Ｅの軸挿通孔８７ｃ、カメラ装置７１Ｅの軸貫通孔７８ｃに挿入されて左方へ突出される。ストッパー部材９７は支持片部６２Ｅの右側面に接した状態とされる。
【０２５５】
第２のシャフト９３は嵌入部９５のカット面部９５ａ、９５ａが支持プレート５９Ｅの支持片部６２Ｅのカット面６２ｃ、６２ｃに係合されることにより、支持プレート５９Ｅに対して回転不能とされる。
【０２５６】
カメラ装置７１Ｅの軸貫通孔７８ｃに挿入された支持軸部９４の取付溝９４ａには、保持ケース７３Ｅの内部において抜け止めリング９８が取り付けられる。従って、皿バネ８６Ｅは、その右方（図３３に示す矢印Ｒ方向）に位置する支持プレート５９Ｅの支持片部６２Ｅに弾接される。
【０２５７】
上記した支持プレート５９Ｅの支持片部６１、６２Ｅと支持フレーム２４の支持筒部２７、２８Ｅとを連結する第１のシャフト９０、第２のシャフト９３及び該第１のシャフト９０、第２のシャフト９３に組み付けられる各部材によってヒンジ機構１６Ｅが構成される。このヒンジ機構１６Ｅは第１の筐体１と第２の筐体２を回動可能に支持する機構として機能する他、カメラ装置７１Ｅを回転可能に支持するカメラ支持機構としても機能する。
【０２５８】
ヒンジ機構１６Ｅを用いた場合の第１の筐体１と第２の筐体２の開閉動作については、両者の回動が支持プレート５９Ｅの支持片部６１、第２のシャフト９３に取り付けられたストッパー部材９７及び支持フレーム２４Ｅの支持筒部２７、２８Ｅに設けられたストッパー突部２７ｄ、２８ｂによって規制されることを除いてはヒンジ機構１６を用いた上記した場合と同様であるため、説明は省略する。従って、ヒンジ機構１６Ｅにあっては、支持プレート５９Ｅの支持片部６１と支持筒部２７、２８Ｅのストッパー突部２７ｄ、２８ｂとが、第１の筐体１と第２の筐体２が開放状態又は閉塞状態とされたときに両者の回動を規制する回動規制手段として機能する。
【０２５９】
また、ヒンジ機構１６Ｅにあっては、クリック部材３４、支持片部６１及びクリック部材３４を支持片部６１に押し付ける圧縮コイルバネ３５が、第１の筐体１と第２の筐体２を開放状態又は閉塞状態に保持する保持手段として機能する。
【０２６０】
カメラ装置７１Ｅは、被支持部７７に第１のシャフト９０の軸部９２の右端部が挿入されることにより、第１のシャフト９０及び第２のシャフト９３に対して回転可能とされる。
【０２６１】
カメラ装置７１Ｅが回転されるときには、支持プレート５９Ｅの支持片部６２Ｅに形成された第１の係合凹部６２ｄ、６２ｄ、第２の係合凹部６２ｅ、６２ｅ又は第３の係合凹部６２ｆ、６２ｆと皿バネ８６Ｅの係合突部８７ｄ、８７ｄとが係合されて、カメラ装置７１Ｅがそれぞれ第１の回転位置、第２の回転位置又は第３の回転位置に保持される。カメラ装置７１Ｅが第１の回転位置と第３の回転位置に保持されたときには、カメラ装置７１Ｅの取付部７８Ｅに設けられた規制用突部７８ｅが支持プレート５９Ｅの支持片部６２Ｅに設けられた回転規制突部６２ｇに近接又は当接した状態とされ、これ以上のカメラ装置７１Ｅの不必要な回転が規制される。従って、保持ケース７３Ｅの規制用突部７８ｅと支持プレート５９Ｅの回転規制突部６２ｇとは、カメラ装置７１Ｅの回転を規制する回転規制手段として機能する。
【０２６２】
以上に記載した通り、ヒンジ機構１６Ｅにあっては、カメラ装置７１Ｅに皿バネ８６Ｅを取り付けるための取付部７８Ｅが一体に形成され、また、第１の筐体１と第２の筐体２を回動可能に支持する第２のシャフト９３がカメラ装置７１Ｅをも回転可能に支持しているため、支持部材８１のようなカメラ装置を支持する専用の部材を必要とせず、部品点数の削減を図ることができる。
【０２６３】
尚、上記において説明した係合突部又は係合凹部は、何れが回転部又は固定部に形成されていてもよく、係合突部が回転部に設けられると共に係合凹部が固定部に形成されていてもよく、また、係合突部が固定部に設けられると共に係合凹部が回転部に形成されていてもよい。
【０２６４】
上記した各実施の形態において示した各部の形状及び構造は、何れも本発明を実施するに際して行う具体化のほんの一例を示したものにすぎず、これらによって、本発明の技術的範囲が限定的に解釈されるようなことがあってはならないものである。
【０２６５】
【発明の効果】
以上に記載したところから明らかなように、本発明情報端末機器は、本体部を構成する第１の筐体と第２の筐体とがヒンジ部を介して回動可能に連結されて折畳自在にされると共に撮像レンズを有し本体部に対して回転可能なカメラ装置がヒンジ部に隣接して設けられた情報端末機器であって、上記本体部に対してカメラ装置を回転自在に支持するシャフトと、カメラ装置の回転に伴って回転される回転部と、シャフトの軸方向において回転部に隣接して配置されると共にカメラ装置の回転時に回転不能な状態にある固定部と、回転部又は固定部の少なくとも一方を回転部と固定部とが互いに接する方向へ付勢する付勢部材とを備え、回転部又は固定部の一方に係合突部を設け回転部又は固定部の他方に係合突部と係合可能な係合凹部を形成し、本体部に対してカメラ装置が所定の回転位置まで回転されたときに係合突部と係合凹部が係合しカメラ装置を当該所定の回転位置に保持するようにしたことを特徴とする。
【０２６６】
従って、カメラ装置を回転したときに、撮影者自身がカメラ装置の回転位置を画像を確認しながら決定する必要がなく、情報端末機器の使い勝手の向上を図ることができる。
【０２６７】
また、カメラ装置を所定の回転位置に保持した後に、所望のカメラアングルで撮影を行うことができる。
【０２６８】
さらに、撮影時において、外部からの振動等によってもカメラ装置の回転位置が変動しないため、像ぶれや焦点ぼけ等の不具合を生じることがなく、カメラ装置による良好な撮影状態を確保することができる。
【０２６９】
請求項２に記載した発明にあっては、上記付勢部材は皿バネであり、該皿バネを上記固定部として用いたので、部品点数の削減及び機構の簡素化を図ることができる。
【０２７０】
請求項３に記載した発明にあっては、上記付勢部材は皿バネであり、該皿バネを上記回転部として用いたので、部品点数の削減及び機構の簡素化を図ることができる。
【０２７１】
請求項４に記載した発明にあっては、上記カメラ装置の所定の回転位置として、撮像レンズが本体部に遮蔽される第１の回転位置と撮像レンズが撮影者側を向く第２の回転位置と撮像レンズが撮影者の反対側を向く第３の回転位置とを設けたので、第１の回転位置が設定されていることにより、カメラ装置の不使用時には撮像レンズを遮蔽して保護することができ、第２の回転位置及び第３の回転位置が設定されていることにより、カメラ装置の使用時には異なるモードで使用できるため機能性の向上による使い勝手の向上を図ることができる。
【０２７２】
請求項５に記載した発明にあっては、上記カメラ装置の回転を規制する回転規制手段を設けたので、カメラ装置の必要以上の回転が規制され、情報端末機器の使い勝手の向上を図ることができると共にカメラ装置の必要以上の回転による各部品の外れや破損等という不具合の発生を防止することができる。
【０２７３】
請求項６に記載した発明にあっては、上記第１の筐体と第２の筐体とが所定の角度開いた開放状態において両者の回動を規制する回動規制手段を設けたので、第１の筐体と第２の筐体の必要以上の回動が規制され、情報端末機器の使い勝手の向上を図ることができると共に第１の筐体と第２の筐体の必要以上の回動による各部品の外れや破損等という不具合の発生を防止することができる。
【０２７４】
請求項７に記載した発明にあっては、上記第１の筐体と第２の筐体とを両者が所定の角度開いた開放状態及び両者が折り畳まれた閉塞状態の各位置にそれぞれ保持する保持手段を設けたので、第１の筐体と第２の筐体をヒンジ部を支点として開閉したときに、第１の筐体と第２の筐体が開放状態又は閉塞状態に確実に保持され、情報端末機器の使い勝手の向上を図ることができる。
【０２７５】
請求項８に記載した発明にあっては、上記カメラ装置は撮像レンズを保持する保持ケースを有し、該保持ケースに略円筒状に形成されシャフトが挿入される筒部を設け、上記付勢部材としてコイルバネを用い、該コイルバネを保持ケースの筒部に配置したので、筒部の外周側の空間をフレキシブルプリント配線板を配置するためのスペースとして用いることができ、配置スペースの有効活用により情報端末機器の小型化を図ることができる。
【０２７６】
請求項９に記載した発明にあっては、上記カメラ装置は撮像レンズを保持する保持ケースを有し、該保持ケースに被取付部を設け、該被取付部をシャフトに、その軸方向にスライド可能とし該軸方向に略直交する方向において着脱可能としたので、カメラ装置を支持する機構の各部を分解することなくカメラ装置のみをシャフトから取り外すことができ、カメラ装置に修理等が必要とされた場合にカメラ装置のみをシャフトから取り外せばよく、メンテナンス性の向上を図ることができる。
【０２７７】
請求項１０に記載した発明にあっては、上記カメラ装置は撮像レンズを保持する保持ケースを有し、該保持ケースにシャフトが挿入される挿入筒部を設け、該挿入筒部に切欠を形成して周方向に離隔して位置する一対の被規制縁を設け、カメラ装置が回転されたときにその回転方向に応じて何れか一方の被規制縁に係合可能であると共にシャフトの外周面から突出され保持ケースの挿入筒部の外面側には突出されない規制突部を設けたので、規制突部にフレキシブルプリント配線板を巻回した状態において、規制突部が巻回されたフレキシブルプリント配線板に接触することがなく、筒部の外周面側の空間をフレキシブルプリント配線板を配置するためのスペースとして用いることができ、スペースの有効利用を図ることによる情報端末機器の小型化を図ることができる。
【図面の簡単な説明】
【図１】図２乃至図２９と共に本発明を携帯電話機に適用した第１の実施の形態を示すものであり、本図は開放状態を示す携帯電話機の斜視図である。
【図２】閉塞状態を示す携帯電話機の斜視図である。
【図３】第１の筐体と第２の筐体の回動角度を示す概略側面図である。
【図４】携帯電話機の内部構造の一部を示す拡大斜視図である。
【図５】ヒンジ機構を示す拡大分解斜視図である。
【図６】ヒンジ機構を示す拡大斜視図である。
【図７】図６のＶＩＩ−ＶＩＩ線に沿う拡大断面図である。
【図８】図６のＶＩＩＩ−ＶＩＩＩ線に沿う拡大断面図である。
【図９】固定部材と回転部材との関係を示す拡大斜視図である。
【図１０】図１１と共に第１の筐体と第２の筐体の回動が規制されるときの状態を示すものであり、本図は閉塞状態を一部を断面にして示す拡大側面図である。
【図１１】開放状態を一部を断面にして示す拡大側面図である。
【図１２】図１３と共にカメラ装置の組付手順を示すものであり、本図はカメラ装置がスライドされる前の状態を一部を断面にして示す拡大正面図である。
【図１３】カメラ装置がスライドされ組み付けられた状態を一部を断面にして示す拡大正面図である。
【図１４】フレキシブルプリント配線板が配置された状態を示す拡大斜視図である。
【図１５】遮蔽モードを示す拡大斜視図である。
【図１６】自分側撮影モードを示す拡大斜視図である。
【図１７】相手側撮影モードを示す拡大斜視図である。
【図１８】図１９及び図２０と共にカメラ装置が各回転位置に保持されるときの状態を示すものであり、本図は第１の回転位置の状態を一部を断面にして示す拡大側面図である。
【図１９】第２の回転位置の状態を一部を断面にして示す拡大側面図である。
【図２０】第３の回転位置の状態を一部を断面にして示す拡大側面図である。
【図２１】図２２と共にカメラ装置の回転が規制されるときの状態を示すものであり、本図は第１の回転位置の状態を一部を断面にして示す拡大側面図である。
【図２２】第３の回転位置の状態を一部を断面にして示す拡大側面図である。
【図２３】図２４と共にヒンジ機構の第１の変形例を示すものであり、本図は拡大分解斜視図である。
【図２４】拡大斜視図である。
【図２５】図２６と共にヒンジ機構の第２の変形例を示すものであり、本図は拡大分解斜視図である。
【図２６】拡大斜視図である。
【図２７】図２８及び図２９と共にヒンジ機構の第３の変形例を示すものであり、本図は拡大分解斜視図である。
【図２８】拡大斜視図である。
【図２９】要部の拡大断面図である。
【図３０】図３１乃至図３３と共に第２の実施の形態を示すものであり、本図はヒンジ機構の拡大分解斜視図である。
【図３１】拡大斜視図である。
【図３２】図３３と共にヒンジ機構の第１の変形例を示すものであり、本図は拡大分解斜視図である。
【図３３】拡大斜視図である。
【符号の説明】
１００…携帯電話機（モバイル情報端末機器）、１…第１の筐体、２…第２の筐体、３…本体部、４…ヒンジ部、１７…カメラ装置、２１…支持片部（保持手段）（回動規制手段）、２２…支持片部（回動規制手段）、２７ｄ…ストッパー突部（回動規制手段）、２８ａ…ストッパー突部（回動規制手段）、２９…第１のシャフト、３３…規制突部（回転規制手段）、３４…クリック部材（保持手段）、３５…圧縮コイルバネ（保持手段）、３７…第２のシャフト、４１…固定部材（固定部）、４３ａ…第１の係合凹部、４３ｂ…第２の係合凹部、４３ｃ…第３の係合凹部、４４…回転部材（回転部）、４４ｃ…係合突部、４５…付勢部材、４９…保持ケース、５１…被支持部（挿入筒部）、５１ａ…被規制突部（回転規制手段）、５１ｂ…第１の被規制縁、５１ｃ…第２の被規制縁、５２…被取付部、５３…撮像レンズ、１７Ａ…カメラ装置、１９Ａ…支持プレート（固定部）、２１Ａ…支持片部（保持手段）（回動規制手段）、２２Ａ…支持片部（回動規制手段）、２２ｄ…第１の係合凹部、２２ｅ…第２の係合凹部、２２ｆ…第３の係合凹部、２２ｇ…回転規制突部（回転規制手段）、２９Ａ…第１のシャフト、３７Ａ…第２のシャフト、４９Ａ…保持ケース、５７…ストッパー部材（回転規制手段）、１７Ｂ…カメラ装置、２９Ｂ…第１のシャフト、３７Ｂ…第２のシャフト、４９Ｂ…保持ケース、５７…ストッパー部材（回転規制手段）、１９Ｃ…支持プレート（固定部）、２１Ｃ…支持片部（保持手段）（回動規制手段）、２２Ｃ…支持片部（回動規制手段）、２２ｉ…第１の係合凹部、２２ｊ…第２の係合凹部、２２ｋ…第３の係合凹部、２２ｌ…回転規制突部（回転規制手段）、２９Ｂ…第１のシャフト、３７Ｃ…第２のシャフト、４９Ｂ…保持ケース、５２Ｂ…被取付部（筒部）、５８…ストッパー部材（回転部）、５８ｃ…係合突部、６１…支持片部（保持手段）（回動規制手段）、６２…支持片部（回動規制手段）、６４…第１のシャフト、６８…第２のシャフト、７１…カメラ装置、７３…保持ケース、７９…回転部材（回転部）、７９ｂ…ストッパー突片（回転規制手段）、７９ｅ…第１の係合凹部、７９ｆ…第２の係合凹部、７９ｇ…第３の係合凹部、８１…支持部材（回転規制手段）、８６…皿バネ（固定部）（付勢部材）、８７ｂ…係合突部、５９Ｅ…支持プレート（固定部）、６２ｄ…第１の係合凹部、６２ｅ…第２の係合凹部、６２ｆ…第３の係合凹部、６２ｇ…回転規制突部（回転規制手段）、９０…第１のシャフト、９３…第２のシャフト、９７…ストッパー部材（回動規制手段）、７１Ｅ…カメラ装置、７３Ｅ…保持ケース、７８ｅ…規制用突部（回転規制手段）、８６Ｅ…皿バネ（回転部）（付勢部材）、８７ｄ…係合突部
【図１】
2004221775.tif 000003
【図２】
2004221775.tif 000004
【図３】
2004221775.tif 000005
【図４】
2004221775.tif 000006
【図５】
2004221775.tif 000007
【図６】
2004221775.tif 000008
【図７】
2004221775.tif 000009
【図８】
2004221775.tif 000010
【図９】
2004221775.tif 000011
【図１０】
2004221775.tif 000012
【図１１】
2004221775.tif 000013
【図１２】
2004221775.tif 000014
【図１３】
2004221775.tif 000015
【図１４】
2004221775.tif 000016
【図１５】
2004221775.tif 000017
【図１６】
2004221775.tif 000018
【図１７】
2004221775.tif 000019
【図１８】
2004221775.tif 000020
【図１９】
2004221775.tif 000021
【図２０】
2004221775.tif 000022
【図２１】
2004221775.tif 000023
【図２２】
2004221775.tif 000024
【図２３】
2004221775.tif 000025
【図２４】
2004221775.tif 000026
【図２５】
2004221775.tif 000027
【図２６】
2004221775.tif 000028
【図２７】
2004221775.tif 000029
【図２８】
2004221775.tif 000030
【図２９】
2004221775.tif 000031
【図３０】
2004221775.tif 000032
【図３１】
2004221775.tif 000033
【図３２】
2004221775.tif 000034
【図３３】
2004221775.tif 000035